(57)【要約】      （修正有）【課題】膜分離活性汚泥法で、元来の活性汚泥処理環境に影響少なく、分離膜の目詰まりを抑えてその長寿命化と排水処理装置の運転の効率化を図り得る排水処理方法、排水処理装置、及び排水処理用の活性剤の提供。【解決手段】有機物を含む排水を処理槽に導入して活性汚泥処理を行いつつ、処理槽内に設置した分離膜で活性汚泥処理後の排水を固液分離して処理水を取り出す排水処理方法において、分離膜の目詰まりの状態を改善する微生物を優占化しつつ、処理槽で活性汚泥処理される排水に、微生物を活性化する成分を含有する活性剤で、全体の３０個数％以上が１０μｍ未満の粒径を有し、１００μｍを超える粒径が全体の１０個数％未満である該活性剤を添加する方法。分離膜の目詰まりの状態を改善する微生物は、バチルス属細菌を含むことが好ましい方法。前記活性剤がＳｉ化合物を含み、更にＦｅ、Ｍｇ、Ｃａ又はＭｎから選択する１種以上を含む、方法。【選択図】なし【特許請求の範囲】
【請求項１】
有機物を含む排水を処理槽に導入して活性汚泥処理を行うとともに、その処理槽内に設置した分離膜で活性汚泥処理後の排水を固液分離して処理水を取り出す排水処理方法であって、前記分離膜の目詰まりの状態を改善する微生物を優占化しつつ、前記処理槽で活性汚泥処理される前記排水に、前記微生物を活性化する成分を含有する活性剤であって、全体の３０個数％以上が１０μｍ未満の粒径を有し、且つ１００μｍを超える粒径が全体の１０個数％未満である該活性剤を添加することを特徴とする排水処理方法。
【請求項２】
前記微生物は、バチルス属細菌を含む請求項１記載の排水処理方法。
【請求項３】
前記活性剤は、ケイ素化合物を含む請求項１又は２記載の排水処理方法。
【請求項４】
前記活性剤は、更に鉄化合物、マグネシウム化合物、カルシウム化合物、及びマンガン化合物からなる群から選ばれる少なくとも１種を含む請求項３記載の排水処理方法。
【請求項５】
前記活性剤は、高炉スラグ、珪藻土、パーライト、及びセメントからなる群から選ばれる少なくとも１種の粉砕物を含む請求項１〜４のいずれか１つに記載の排水処理方法。
【請求項６】
前記活性剤は、該活性剤に更にケイ素化合物の可溶化剤を組み合わせて用いる請求項３〜５のいずれか１つに記載の排水処理方法。
【請求項７】
前記処理槽内の前記排水中に含まれる前記微生物に由来する酵素活性を測定し、その測定値に基づいて、前記活性剤の添加量を制御する請求項１〜６のいずれか１つに記載の排水処理方法。
【請求項８】
前記酵素活性は、タンパク質分解酵素及び／又は炭水化物分解酵素の活性であり、その活性値が所定値を下回ったとき、前記活性剤を添加する請求項７記載の排水処理方法。
【請求項９】
前記分離膜の目詰まりの状態を計測して、その計測した分離膜の目詰まりの状態に基づいて、前記活性剤の添加量を制御する請求項１〜８のいずれか１つに記載の排水処理方法。
【請求項１０】
前記分離膜の目詰まりの状態を示す指標を、前記分離膜で固液分離された処理水の水圧及び／又は水流量とし、前記水圧及び／又は水流量の値が所定値を下回ったとき、前記活性剤を添加する請求項９記載の排水処理方法。
【請求項１１】
前記分離膜の目詰まりの状態を前記分離膜の逆洗処理又はバブリングを行なった後に計測する請求項９又は１０記載の排水処理方法。
【請求項１２】
有機物を含む排水を処理槽に導入して活性汚泥処理を行うとともに、その処理槽内に設置した分離膜で活性汚泥処理後の排水を固液分離して処理水を取り出す排水処理装置であって、
前記分離膜の目詰まりの状態を改善する微生物を活性化する成分を含有する活性剤であって、全体の３０個数％以上が１０μｍ未満の粒径を有し、且つ１００μｍを超える粒径が全体の１０個数％未満である該活性剤を供給する手段と、
前記処理槽内の前記排水中に含まれる前記微生物に由来する酵素活性を測定する手段と、
その測定値に基づいて、前記処理槽で活性汚泥処理される排水中への前記活性剤の供給量を制御する制御手段を備えていることを特徴とする排水処理装置。
【請求項１３】
前記処理槽内の前記排水中に含まれる前記微生物に由来する酵素活性を測定する手段は、タンパク質分解酵素及び／又は炭水化物分解酵素の活性を測定する手段を含む請求項１２記載の排水処理装置。
【請求項１４】
有機物を含む排水を処理槽に導入して活性汚泥処理を行うとともに、その処理槽内に設置した分離膜で活性汚泥処理後の排水を固液分離して処理水を取り出す排水処理装置であって、
前記分離膜の目詰まりの状態を改善する微生物を活性化する成分を含有する活性剤であって、全体の３０個数％以上が１０μｍ未満の粒径を有し、且つ１００μｍを超える粒径が全体の１０個数％未満である該活性剤を供給する手段と、
前記分離膜の目詰まりの状態を計測する手段と、
その計測した分離膜の目詰まりの状態に基づいて、前記処理槽で活性汚泥処理される排水中への前記活性剤の供給量を制御する制御手段を備えていることを特徴とする排水処理装置。
【請求項１５】
前記分離膜の目詰まりの状態を計測する手段は、前記分離膜で固液分離された処理水の水圧及び／又は水流量を計測する手段を含む請求項１４記載の排水処理装置。
【請求項１６】
前記微生物は、バチルス属細菌を含む請求項１２〜１５のいずれか１つに記載の排水処理装置。
【請求項１７】
前記活性剤は、ケイ素化合物を含む請求項１２〜１６のいずれか１つに記載の排水処理装置。
【請求項１８】
前記活性剤は、更に鉄化合物、マグネシウム化合物、カルシウム化合物、及びマンガン化合物からなる群から選ばれる少なくとも１種を含む請求項１７記載の排水処理装置。
【請求項１９】
前記活性剤は、高炉スラグ、珪藻土、パーライト、及びセメントからなる群から選ばれる少なくとも１種の粉砕物を含む請求項１２〜１８のいずれか１つに記載の排水処理装置。
【請求項２０】
前記活性剤は、該活性剤に更にケイ素化合物の可溶化剤を組み合わせて用いる請求項１７〜１９のいずれか１つに記載の排水処理装置。
【請求項２１】
有機物を含む排水を処理槽に導入して活性汚泥処理を行うとともに、その処理槽内に設置した分離膜で活性汚泥処理後の排水を固液分離して処理水を取り出す排水処理方法において、前記分離膜の目詰まりの状態を改善する微生物を優占化するために用いる活性剤であって、前記微生物を活性化する成分を含有し、全体の３０個数％以上が１０μｍ未満の粒径を有し、且つ１００μｍを超える粒径が全体の１０個数％未満であることを特徴とする排水処理用の活性剤。
【請求項２２】
前記微生物は、バチルス属細菌を含む請求項２１記載の活性剤。
【請求項２３】
前記微生物を活性化する成分として、ケイ素化合物を含む請求項２１又は２２記載の活性剤。
【請求項２４】
前記微生物を活性化する成分として、更に鉄化合物、マグネシウム化合物、カルシウム化合物、及びマンガン化合物からなる群から選ばれる少なくとも１種を含む請求項２３記載の活性剤。
【請求項２５】
高炉スラグ、珪藻土、パーライト、及びセメントからなる群から選ばれる少なくとも１種を粉砕して得られたものである請求項２１〜２４のいずれか１つに記載の活性剤。
【請求項２６】
ケイ素化合物の可溶化剤と組み合わせて用いる請求項２３〜２５のいずれか１つに記載の活性剤。
【請求項２７】
前記可溶化剤は、ケイ素及び／又はケイ素化合物の重合を抑制するカチオン系ポリマーを含む請求項２６記載の活性剤。
【発明の詳細な説明】
【技術分野】
【０００１】
本発明は、生活排水や産業排水など有機物を含んでいる排水を、活性汚泥処理するとともに、膜濾過して処理する排水処理方法及び排水処理装置並びにその排水処理用の活性剤に関する。
【背景技術】
【０００２】
排水処理方法の１つとして、有機物を含む排水を処理槽に導入して活性汚泥処理して有機物等を除去し、次いで、逆浸透膜、限外ろ過膜、精密ろ過膜、中空糸膜等の分離膜を備えた膜モジュールを通過させて、浮遊微生物やその他の浮遊物質（ＳＳと略称される）を濾過処理して固液分離する、膜分離活性汚泥法（ＭＢＲ：Ｍｅｍｂｒａｎｅ  ＢｉｏＲｅａｃｔｏｒ）が知られている。膜分離活性汚泥法は、膜モジュールを用いて固液分離を行うため、最終沈殿池を省略でき、装置を小型化できるというメリットがある。
【０００３】
しかしながら、長時間の運転によって膜モジュールに浮遊微生物やその他の浮遊物質（ＳＳ）等が徐々に堆積していき、分離膜が目詰まりするという問題があった。分離膜が目詰まりすると、膜間圧差の上昇や濾過流束の低下などが生じ、また、バブリングや逆洗、薬品洗浄など、目詰まり防止のためのランニングコストがかかり、更には、最終的には分離膜を交換しなければならず、分離膜の交換間隔が短いと連続運転も妨げられるので、排水処理装置の全体的な運転効率が低下するという問題があった。最近ではこのような分離膜の目詰まりの主な原因が、バブリングや逆洗によっても剥がれないほど強固な付着性を示す、活性汚泥中の微生物が産出する糖タンパク質を含む沈着物（粘着性の微生物やその残骸などを含む）であることが明らかになっている。
【０００４】
膜分離活性汚泥法に関し、例えば下記特許文献１には、分離膜の目詰まりの原因となる分散性細菌を捕食する能力に優れた小動物を処理槽に導入して、その摂食作用を強化することによって、分離膜の目詰まりの問題を解決しようとする試みがある。また、例えば下記特許文献２には、目詰まりの原因となるバイオフィルムの形成を低めるか妨げることができる微生物を分離膜に供して、分離膜の目詰まりの問題を解決しようとする試みがある。
【０００５】
一方、このような活性汚泥処理に利用される汚泥は、反応槽中の微生物が主な構成要素であり、排水中の有機物等を基質として生育した微生物の集塊である。そのため、活性汚泥処理では排水中の有機物が浄化される一方、それに応じて汚泥発生量も増えることになる。また、反応槽に存在する微生物に対して外界から微生物が全く混入しないという閉鎖系の処理ではなく、自然界に普遍的に存在する微生物が常に混入する状態にある。そのため、生物処理に関わる微生物は多種多様であり、様々な特性、機能を有する。よって、処理対象の排水によって反応槽内で優占化する微生物も異なっている。
【０００６】
そこで、排水処理環境中の微生物の中でも増殖速度が速く、有機物を分解する酵素を大量に生産するバチルス菌を優占化させる手法を用いて排水処理の効率を向上させることが提案され、実用化されている。この場合に処理槽内にバチルス菌を優占化し、維持するため、ケイ素化合物やミネラルを含有する活性剤を添加することも行われる（下記特許文献３、４参照）。
【先行技術文献】
【特許文献】
【０００７】
【特許文献１】特開２００７−２６０６６４号公報
【特許文献２】特表２０１３−５１０７１０号公報
【特許文献３】特許第４８２６９８２号公報
【特許文献４】国際公開第２０１１／１３６１８８号
【発明の概要】
【発明が解決しようとする課題】
【０００８】
しかしながら、膜分離活性汚泥法における分離膜の目詰まりの問題に関し、上記特許文献１の方法では、分散性細菌の捕食能に優れた小動物が処理槽に投入され、それが活性汚泥処理に有用な微生物までをも捕食してしまい、かえって排水処理能力に支障をきたすおそれがあった。また、上記特許文献２の方法でも、目詰まりの原因となるバイオフィルムの形成を低めるか妨げることができる微生物が処理槽内に供されることになるので、その存在によって処理槽内の微生物群の生育バランスがくずれて、かえって排水処理能力に支障をきたすおそれがあった。
【０００９】
一方、本発明者らの知見によれば、バチルス菌を優占化する手法を膜分離活性汚泥法に適用する場合、バチルス菌の活性剤にはカルシウムやマグネシウムなどのミネラル分が含まれており、これが処理槽内に長く滞留すると分離膜にスケールが発生して目詰まりを助長するという問題があった。
【００１０】
本発明の目的は、上記従来技術にかんがみ、膜分離活性汚泥法において、元来の活性汚泥処理環境に影響少なく、分離膜の目詰まりを抑えてその長寿命化と排水処理装置の運転の効率化を図ることができる排水処理方法、排水処理装置、及び排水処理用の活性剤を提供することにある。
【課題を解決するための手段】
【００１１】
本発明により提供される排水処理方法は、有機物を含む排水を処理槽に導入して活性汚泥処理を行うとともに、その処理槽内に設置した分離膜で活性汚泥処理後の排水を固液分離して処理水を取り出す排水処理方法であって、前記分離膜の目詰まりの状態を改善する微生物を優占化しつつ、前記処理槽で活性汚泥処理される前記排水に、前記微生物を活性化する成分を含有する活性剤であって、全体の３０個数％以上が１０μｍ未満の粒径を有し、且つ１００μｍを超える粒径が全体の１０個数％未満である該活性剤を添加することを特徴とする。
【００１２】
本発明により提供される排水処理方法によれば、処理槽内で活性汚泥処理を行うとともに、その処理槽内に設置した分離膜で活性汚泥処理後の排水を固液分離して処理水を取り出すので、沈殿槽が必要なく、装置構成を簡素化できる。また、分離膜の目詰まりの状態を改善する微生物を優占化して、その微生物の活性剤として所定粒度に揃えられた活性剤を用いるので、その微生物が効果的に活性化されて、その微生物が分泌する酵素により、分離膜の目詰まりの原因となる成分を効率的に低減することができる。更には、その微生物の活性剤が処理槽内に長く滞留することがなく、活性剤に含まれるカルシウムやマグネシウムなどのミネラル分に起因したスケール生成によって分離膜の目詰まりが助長されることがない。よって、分離膜の長寿命化と排水処理装置の運転の効率化を実現することができる。
【００１３】
上記の排水処理方法においては、前記微生物は、バチルス属細菌を含むことが好ましい。これによれば、バチルス属細菌が少なくともタンパク質分解酵素又は炭水化物分解酵素を菌体外に分泌するので、その酵素により分離膜の目詰まりの原因となる成分をより効率的に低減することができる。
【００１４】
また、前記活性剤は、ケイ素化合物を含むことが好ましい。これによれば、バチルス属細菌等の分離膜の目詰まりの状態を改善する微生物をより効果的に活性化することができる。
【００１５】
また、前記活性剤は、更に鉄化合物、マグネシウム化合物、カルシウム化合物、及びマンガン化合物からなる群から選ばれる少なくとも１種を含むことが好ましい。これによれば、バチルス属細菌等の分離膜の目詰まりの状態を改善する微生物をより効果的に活性化することができる。
【００１６】
また、前記活性剤は、高炉スラグ、珪藻土、パーライト、及びセメントからなる群から選ばれる少なくとも１種の粉砕物を含むことが好ましい。これによれば、上記活性剤として鉱物に由来する資材などの安価な資材を利用することができる。
【００１７】
また、前記活性剤は、該活性剤に更にケイ素化合物の可溶化剤を組み合わせて用いることが好ましい。これによれば、そのケイ素成分がバチルス属細菌等の分離膜の目詰まりの状態を改善する微生物に更により効果的に作用し、その活性化を促すことができる。
【００１８】
また、前記処理槽内の前記排水中に含まれる前記微生物に由来する酵素活性を測定し、その測定値に基づいて、前記活性剤の添加量を制御することが好ましい。これによれば、バチルス属細菌等の分離膜の目詰まりの状態を改善する微生物の活性の状態に応じて、所望のタイミングで上記活性剤を添加することにより、スケール生成の原因となるミネラル分を不必要に供給することがない。
【００１９】
前記酵素活性は、タンパク質分解酵素及び／又は炭水化物分解酵素の活性であり、その活性値が所定値を下回ったとき、前記活性剤を添加することが好ましい。これによれば、バチルス属細菌等の分離膜の目詰まりの状態を改善する微生物の活性の状態をより簡便にモニタして、より正確な時期に上記活性剤を添加することができる。
【００２０】
また、前記分離膜の目詰まりの状態を計測して、その計測した分離膜の目詰まりの状態に基づいて、前記活性剤の添加量を制御することが好ましい。これによれば、分離膜の目詰まりの状態に応じて、所望のタイミングで上記活性剤を添加することにより、スケール生成の原因となるミネラル分を不必要に供給することがない。
【００２１】
また、前記分離膜の目詰まりの状態を示す指標を、前記分離膜で固液分離された処理水の水圧及び／又は水流量とし、前記水圧及び／又は水流量の値が所定値を下回ったとき、前記活性剤を添加することが好ましい。これによれば、分離膜の目詰まりの状態をより簡便にモニタして、より正確な時期に上記活性剤を添加することができる。
【００２２】
また、前記分離膜の目詰まりの状態を前記分離膜の逆洗処理又はバブリングを行なった後に計測することが好ましい。これによれば、分離膜の目詰まりの状態をより正確にモニタすることができる。
【００２３】
一方、本発明により提供される排水処理装置の第１の形態は、有機物を含む排水を処理槽に導入して活性汚泥処理を行うとともに、その処理槽内に設置した分離膜で活性汚泥処理後の排水を固液分離して処理水を取り出す排水処理装置であって、前記分離膜の目詰まりの状態を改善する微生物を活性化する成分を含有する活性剤であって、全体の３０個数％以上が１０μｍ未満の粒径を有し、且つ１００μｍを超える粒径が全体の１０個数％未満である該活性剤を供給する手段と、前記処理槽内の前記排水中に含まれる前記微生物に由来する酵素活性を測定する手段と、その測定値に基づいて、前記処理槽で活性汚泥処理される排水中への前記活性剤の供給量を制御する制御手段を備えていることを特徴とする。
【００２４】
本発明により提供される排水処理装置の第１の形態によれば、処理槽内で活性汚泥処理を行うとともに、その処理槽内に設置した分離膜で活性汚泥処理後の排水を固液分離して処理水を取り出すので、沈殿槽が必要なく、装置構成を簡素化できる。また、分離膜の目詰まりの状態を改善する微生物の活性剤であって、全体の３０個数％以上が１０μｍ未満の粒径を有し、且つ１００μｍを超える粒径が全体の１０個数％未満である該活性剤を供給する手段を備えているので、その活性剤の供給により、分離膜の目詰まりの状態を改善する微生物が効果的に活性化されて、その微生物が分泌する酵素により、分離膜の目詰まりの原因となる成分を効率的に低減することができる。更には、その微生物の活性剤が処理槽内に長く滞留することがなく、活性剤に含まれるカルシウムやマグネシウムなどのミネラル分に起因したスケール生成によって分離膜の目詰まりが助長されることがない。更にまた、前記処理槽内の前記排水中に含まれる前記微生物に由来する酵素活性を測定する手段と、その測定値に基づいて、前記処理槽で活性汚泥処理される排水中への前記活性剤の供給量を制御する制御手段を備えているので、分離膜の目詰まりの状態を改善する微生物の活性の状態に応じて、所望のタイミングでその微生物の活性剤を添加することにより、スケール生成の原因となるミネラル分を不必要に供給することがない。よって、分離膜の長寿命化と排水処理装置の運転の効率化を実現することができる。
【００２５】
前記処理槽内の前記排水中に含まれる前記微生物に由来する酵素活性を測定する手段は、タンパク質分解酵素及び／又は炭水化物分解酵素の活性を測定する手段を含むことが好ましい。これによれば、分処理槽内の排水中に含まれる微生物の活性の状態をより簡便にモニタして、より正確な時期に上記活性剤を添加することができる。
【００２６】
一方、本発明により提供される排水処理装置の第２の形態は、有機物を含む排水を処理槽に導入して活性汚泥処理を行うとともに、その処理槽内に設置した分離膜で活性汚泥処理後の排水を固液分離して処理水を取り出す排水処理装置であって、前記分離膜の目詰まりの状態を改善する微生物を活性化する成分を含有する活性剤であって、全体の３０個数％以上が１０μｍ未満の粒径を有し、且つ１００μｍを超える粒径が全体の１０個数％未満である該活性剤を供給する手段と、前記分離膜の目詰まりの状態を計測する手段と、その計測した分離膜の目詰まりの状態に基づいて、前記処理槽で活性汚泥処理される排水中への前記活性剤の供給量を制御する制御手段を備えていることを特徴とする。
【００２７】
本発明により提供される排水処理装置の第２の形態によれば、処理槽内で活性汚泥処理を行うとともに、その処理槽内に設置した分離膜で活性汚泥処理後の排水を固液分離して処理水を取り出すので、沈殿槽が必要なく、装置構成を簡素化できる。また、分離膜の目詰まりの状態を改善する微生物の活性剤であって、全体の３０個数％以上が１０μｍ未満の粒径を有し、且つ１００μｍを超える粒径が全体の１０個数％未満である該活性剤を供給する手段を備えているので、その活性剤の供給により、分離膜の目詰まりの状態を改善する微生物が効果的に活性化されて、その微生物が分泌する酵素により、分離膜の目詰まりの原因となる成分を効率的に低減することができる。更には、その微生物の活性剤が処理槽内に長く滞留することがなく、活性剤に含まれるカルシウムやマグネシウムなどのミネラル分に起因したスケール生成によって分離膜の目詰まりが助長されることがない。更にまた、分離膜の目詰まりの状態を計測する手段と、その計測した分離膜の目詰まりの状態に基づいて、処理槽で活性汚泥処理される排水中への活性剤の供給量を制御する制御手段を備えているので、分離膜の目詰まりの状態に応じて、所望のタイミングでその微生物の活性剤を添加することにより、スケール生成の原因となるミネラル分を不必要に供給することがない。よって、分離膜の長寿命化と排水処理装置の運転の効率化を実現することができる。
【００２８】
前記分離膜の目詰まりの状態を計測する手段は、前記分離膜で固液分離された処理水の水圧及び／又は水流量を計測する手段を含むことが好ましい。これによれば、分離膜の目詰まりの状態をより簡便にモニタして、より正確な時期に上記活性剤を添加することができる。
【００２９】
上記の排水処理装置においては、前記微生物は、バチルス属細菌を含むことが好ましい。これによれば、バチルス属細菌が少なくともタンパク質分解酵素又は炭水化物分解酵素を菌体外に分泌するので、その酵素により分離膜の目詰まりの原因となる成分をより効率的に低減することができる。
【００３０】
また、前記活性剤は、ケイ素化合物を含むことが好ましい。これによれば、バチルス属細菌等の分離膜の目詰まりの状態を改善する微生物をより効果的に活性化することができる。
【００３１】
また、前記活性剤は、更に鉄化合物、マグネシウム化合物、カルシウム化合物、及びマンガン化合物からなる群から選ばれる少なくとも１種を含むことが好ましい。これによれば、バチルス属細菌等の分離膜の目詰まりの状態を改善する微生物をより効果的に活性化することができる。
【００３２】
また、前記活性剤は、高炉スラグ、珪藻土、パーライト、及びセメントからなる群から選ばれる少なくとも１種の粉砕物を含むことが好ましい。これによれば、上記活性剤として鉱物に由来する資材などの安価な資材を利用することができる。
【００３３】
また、前記活性剤は、該活性剤に更にケイ素化合物の可溶化剤を組み合わせて用いることが好ましい。これによれば、そのケイ素成分がバチルス属細菌等の分離膜の目詰まりの状態を改善する微生物に更により効果的に作用し、その活性化を促すことができる。
【００３４】
他方、本発明により提供される排水処理用の活性剤は、有機物を含む排水を処理槽に導入して活性汚泥処理を行うとともに、その処理槽内に設置した分離膜で活性汚泥処理後の排水を固液分離して処理水を取り出す排水処理方法において、前記分離膜の目詰まりの状態を改善する微生物を優占化するために用いる活性剤であって、前記微生物を活性化する成分を含有し、全体の３０個数％以上が１０μｍ未満の粒径を有し、且つ１００μｍを超える粒径が全体の１０個数％未満であることを特徴とする。
【００３５】
本発明により提供される排水処理用の活性剤によれば、膜分離活性汚泥法における有用微生物の活性剤として所定粒度に揃えられた活性剤を用いるので、その微生物が効果的に活性化されて、その微生物が分泌する酵素により、分離膜の目詰まりの原因となる成分を効率的に低減することができる。また、その微生物の活性剤が処理槽内に長く滞留することがなく、活性剤に含まれるカルシウムやマグネシウムなどのミネラル分に起因したスケール生成によって分離膜の目詰まりが助長されることがない。よって、分離膜の長寿命化と排水処理装置の運転の効率化を実現することができる。
【００３６】
上記の排水処理用の活性剤においては、前記微生物は、バチルス属細菌を含むことが好ましい。これによれば、バチルス属細菌が少なくともタンパク質分解酵素又は炭水化物分解酵素を菌体外に分泌するので、その酵素により分離膜の目詰まりの原因となる成分をより効率的に低減することができる。
【００３７】
また、前記微生物を活性化する成分として、ケイ素化合物を含むことが好ましい。これによれば、バチルス属細菌等の分離膜の目詰まりの状態を改善する微生物をより効果的に活性化することができる。
【００３８】
また、前記微生物を活性化する成分として、更に鉄化合物、マグネシウム化合物、カルシウム化合物、及びマンガン化合物からなる群から選ばれる少なくとも１種を含むことが好ましい。これによれば、バチルス属細菌等の分離膜の目詰まりの状態を改善する微生物をより効果的に活性化することができる。
【００３９】
また、高炉スラグ、珪藻土、パーライト、及びセメントからなる群から選ばれる少なくとも１種を粉砕して得られたものであることが好ましい。これによれば、上記活性剤として鉱物に由来する資材などの安価な資材を利用することができる。
【００４０】
また、ケイ素化合物の可溶化剤と組み合わせて用いることが好ましい。これによれば、そのケイ素成分がバチルス属細菌等の分離膜の目詰まりの状態を改善する微生物に更により効果的に作用し、その活性化を促すことができる。
【００４１】
また、前記可溶化剤は、ケイ素及び／又はケイ素化合物の重合を抑制するカチオン系ポリマーを含むことが好ましい。
【発明の効果】
【００４２】
本発明によれば、膜分離活性汚泥法において、元来の活性汚泥処理環境に影響少なく、分離膜の目詰まりを抑えてその長寿命化と排水処理装置の運転の効率化を実現することができる排水処理方法、排水処理装置、及び排水処理用の活性剤を提供することができる。
【図面の簡単な説明】
【００４３】
【図１】本発明による排水処理方法を実施するための排水処理装置の一例を示す概略構成図である。
【図２】バチルス属細菌等の微生物に由来する酵素活性を測定する手段の一例として処理槽内の排水中に含まれるタンパク質分解酵素（プロテアーゼ）の活性を測定する手順である。
【図３】バチルス属細菌等の微生物に由来する酵素活性を測定する手段の他の一例として処理槽内の排水中に含まれる炭水化物分解酵素（アミラーゼ）の活性を測定する手順である。
【図４】図１に示す排水処理装置の制御装置での制御の例を示す制御フローチャートであり、図４Ａは分離膜の目詰まりの状態に基づく制御の一例を示す制御フローチャートであり、図４Ｂは処理槽内の排水中に含まれる微生物に由来する酵素活性に基づく制御の一例を示す制御フローチャートである。
【図５】試験例１においてバチルス菌による汚泥分解性能を調べた結果を示す図表である。
【図６】試験例３において高炉スラグの粉砕品Ａの粒度分布を測定した結果を示す図表である。
【図７】試験例３において高炉スラグの粉砕品Ｂの粒度分布を測定した結果を示す図表である。
【図８】試験例３において従来市販の活性剤の粒度分布を測定した結果を示す図表である。
【図９】試験例５においてバチルス菌Ａについてタンパク質分解酵素産生に与える活性剤の効果を調べた結果を示す図表である。
【図１０】試験例５においてバチルス菌Ｂについてタンパク質分解酵素産生に与える活性剤の効果を調べた結果を示す図表である。
【図１１】試験例６においてバチルス菌Ａについて炭水化物分解酵素産生に与える活性剤の効果を調べた結果を示す図表である。
【図１２】試験例６においてバチルス菌Ｂについて炭水化物分解酵素産生に与える活性剤の効果を調べた結果を示す図表である。
【図１３】試験例７においてバチルス菌Ａの増殖に与える鉱物成分の効果を調べた結果を示す図表である。
【図１４】試験例７においてバチルス菌Ｂの増殖に与える鉱物成分の効果を調べた結果を示す図表である。
【図１５】試験例８においてバチルス菌Ａについてタンパク質分解酵素産生に与える鉱物成分の効果を調べた結果を示す図表である。
【図１６】試験例８においてバチルス菌Ｂについてタンパク質分解酵素産生に与える鉱物成分の効果を調べた結果を示す図表である。
【図１７】試験例９においてバチルス菌Ａについて炭水化物分解酵素産生に与える鉱物成分の効果を調べた結果を示す図表である。
【図１８】試験例９においてバチルス菌Ｂについて炭水化物分解酵素産生に与える鉱物成分の効果を調べた結果を示す図表である。
【図１９】試験例１０において流入供試水と処理水の水質を測定した結果を示す図表である。
【図２０】試験例１０において膜モジュールの種類として平膜を使用した条件Ｎｏ．１（バチルス菌優占化）とＮｏ．４（標準活性汚泥）のそれぞれの運転条件における膜の目詰まりの状況を調べた結果を示す図表である。
【図２１】試験例１０において膜モジュールの種類として中空糸膜を使用した条件Ｎｏ．２（バチルス菌優占化）とＮｏ．３（標準活性汚泥）のそれぞれの運転条件における膜の目詰まりの状況を調べた結果を示す図表である。
【図２２】試験例１０において膜モジュールの種類として中空糸膜を使用した条件Ｎｏ．２（バチルス菌優占化）とＮｏ．３（標準活性汚泥）のそれぞれの運転条件において膜閉塞を起した膜を水道水洗浄あるいは薬品洗浄したときのろ過抵抗の回復度合いを調べた結果を示す図表である。
【発明を実施するための形態】
【００４４】
以下、図面を参照しつつ本発明の実施形態を説明する。
【００４５】
図１は、本発明による排水処理方法を実施するための排水処理装置の一例を示す概略構成図である。この排水処理装置は、排水を活性汚泥処理する処理槽１と、処理槽１内に設置された膜モジュール２とを備えており、いわゆる膜分離活性汚泥法による排水処理装置である。処理槽１には、流量調整槽を介して、前処理工程で夾雑物を除去した排水が導入されて、処理槽１内で所定時間の滞留を経て活性汚泥処理される。処理後の排水は、膜モジュール２に連通した配管を通じて吸引ポンプ３で吸引されて、その膜モジュール２に備わる分離膜で固液分離された液部が処理水として取り出される。余剰汚泥は必要に応じて汚泥引抜ポンプ４により系外に排出される。
【００４６】
処理対象となる排水としては、窒素、有機物を含む排水であれば特に限定はなく、例えば家庭排水や、穀類でんぷん製造業、乳製品製造業、食肉センター、砂糖製造業、畜産食料品製造業、畜産農業、肉製品製造業、食肉ハム・ソーセージ製造業、水産練り製品製造業、水産食料品製造業、有機化学工業製造業、無機化学工業製造業などからの排水が挙げられる。
【００４７】
処理槽１については、槽内に微生物を含む活性汚泥が滞留し、もしくは投入され、その活性汚泥中の微生物により排水の汚濁成分が分解され、除去される活性汚泥処理ができる処理槽であれば、特に限定はない。例えば、アンモニア酸化菌や亜硝酸酸化菌などの好気性微生物を利用した曝気槽などであってもよく、亜硝酸酸化菌などの好気性微生物と脱窒菌などの嫌気性微生物を利用した間欠曝気槽などであってもよい。
【００４８】
膜モジュール２に用いる分離膜としては、一般的な濾過膜であれば全て使用できる。例えば、逆浸透（ＲＯ）膜、限外ろ過（ＵＦ）膜、精密ろ過（ＭＦ）膜、中空糸（ＨＦ）膜等が挙げられる。また、濾過膜の材質としては、ポリアクリロニトリル、ポリイミド、ポリエーテルスルホン、ポリフェニレンスルフィドスルホン、ポリテトラフルオロエチレン、ポリフッ化ビニリデン、ポリプロピレン、ポリエチレンなどが挙げられる。また、膜モジュール２の形態としては、特に限定はなく、中空糸膜モジュール、平膜型モジュール、スパイラル型モジュール、管型モジュール等が挙げられる。
【００４９】
この実施形態では、処理槽１内底部であって膜モジュール２の下方に散気板５が設けられ、ブロア６からの空気を散気板５に供給して、処理槽１内で処理される排水に曝気処理が施されるようになっている。この曝気処理は、槽内の活性汚泥中の微生物への酸素供給が目的であるが、そのバブリング作用により膜モジュール２に比較的弱く付着した夾雑物を排除したり、もしくはそのような夾雑物が膜モジュール２に付着しないようにする役割も担っている。
【００５０】
また、活性剤供給槽７からは活性剤注入ポンプ８によって、後述する分離膜の目詰まりの状態を改善する微生物に対してその活性を向上させる活性剤が、処理槽１内の排水に供給されるようになっている。そして、その配管の途中には活性剤注入調整バルブ９が設けられており、その開閉により活性剤の供給量が調節されるようになっている。
【００５１】
また、膜モジュール２に連通した配管の途中にはセンサ１０が設けられており、分離膜で固液分離された処理水の水圧及び／又は水流量がモニタされるようになっている。すなわち、このセンサとしては、圧力センサ、ろ過流量計、超音波流量計、処理水の単位時間あたりの重量を計測して水流量に換算する手段などが挙げられる。
【００５２】
（活性剤）  
以下、本発明に使用する活性剤について説明する。
【００５３】
活性剤としては、分離膜の目詰まりの状態を改善する微生物を活性化する成分を含有するものであればよいが、特にケイ素化合物を含むものであることが好ましい。これによれば、そのケイ素成分が、分離膜の目詰まりの状態を改善する微生物、例えば、バチルス属細菌等の微生物の生育を促進したり、悪環境下での耐性を向上させたり、その微生物からの酵素分泌を促すなどして、その微生物を活性化することができる。
【００５４】
活性剤としては、更に鉄化合物、マグネシウム化合物、カルシウム化合物、及びマンガン化合物からなる群から選ばれる少なくとも１種を含むものであることが好ましい。これによれば、その鉄成分、マグネシウム成分、カルシウム成分、及び／又はマンガン成分が、分離膜の目詰まりの状態を改善する微生物、例えば、バチルス属細菌等の微生物の生育を促進したり、悪環境下での耐性を向上させたり、その微生物からの酵素分泌を促すなどして、その微生物をより効果的に活性化することができる。
【００５５】
例えば、ケイ素化合物としては二酸化ケイ素、ケイ酸ナトリウム、ケイ酸カルシウム、ケイ酸マグネシウム等が挙げられる。鉄化合物としては塩化第一鉄、塩化第二鉄、硫酸第一鉄、硫酸第二鉄、硝酸第一鉄、硝酸第二鉄等が挙げられる。マグネシウム化合物としては塩化マグネシウム、硫酸マグネシウム、水酸化マグネシウム、硝酸マグネシウム等が挙げられる。カルシウム化合物としては塩化カルシウム、水酸化カルシウム、酸化カルシウム、硝酸カルシウム等が挙げられる。マンガン化合物としては塩化マンガン、硫酸マンガン、硝酸マンガン等が挙げられる。
【００５６】
また、活性剤には上記の化合物以外にも他のミネラル分を含有してもよい。アルミニウム塩などのアルミニウム化合物、ニッケル塩などのニッケル化合物、チタン塩などのチタン化合物などが挙げられる。
【００５７】
活性剤としては、上記成分を含有する試薬やその調合物などで構成してもよいが、処理コストの低減のためには、鉱物に由来する資材や工業副産物などを用いることが好ましい。例えば、高炉スラグ、珪藻土、パーライト、セメント等が挙げられる。
【００５８】
高炉スラグは、鉄鋼製造の高温炉工程における副産物であり、鉄鉱石に含まれる成分や、副原料の石灰石やコークスの成分を含み、従来、セメント用、コンクリート用、アスファルト用、地盤改良用、肥料用などの用途に利用されている。高炉スラグは、後述の試験例に示すように、少なくともケイ素成分、鉄成分、カルシウム成分、マグネシウム成分、アルミニウム成分、マンガン成分を含有している。
【００５９】
珪藻土は、珪藻の殻の化石堆積物である。従来、壁材用、タイル材用、耐火レンガ用、濾過材用、脱臭用などの用途に利用されている。珪藻土は、後述の試験例に示すように、少なくともケイ素成分、鉄成分、カルシウム成分、マグネシウム成分、アルミニウム成分、マンガン成分を含有している。
【００６０】
パーライトは、真珠岩、黒曜石、松脂岩などのガラス質を含む火山岩石の焼成発泡体である。従来、土壌改良用、断熱材用、濾過材用、肥料用などの用途に利用されている。パーライトは、後述の試験例に示すように、少なくともケイ素成分、鉄成分、カルシウム成分、マグネシウム成分、アルミニウム成分、マンガン成分を含有している。
【００６１】
セメントは、従来、コンクリートやモルタルの材料として用いられており、石灰石、粘土、珪石、鉄等の原料を混ぜて焼成してなるクリンカを含む。セメントは、後述の試験例に示すように、少なくともケイ素成分、鉄成分、カルシウム成分、マグネシウム成分、アルミニウム成分を含有している。
【００６２】
なお、本発明者らの知見によれば、鉱物由来資材などは一般に難溶解性資材であり、それらを活性剤として処理槽に添加しても、その成分のうち微生物が利用できる量はごく微量であり、分離膜の目詰まりの状態を改善する微生物、例えば、バチルス属細菌等の微生物にとって適宜適当な量が供給されているとは言い難かった。また、処理槽内に溜まりやすく、そこから徐々に溶出したカルシウムやマグネシウムなどのミネラル分により分離膜にスケールが生じて目詰まりを助長するという問題があった。
【００６３】
本発明においては、上記活性剤として、全体の３０個数％以上が１０μｍ未満の粒径を有し、且つ１００μｍを超える粒径が全体の１０個数％未満であるものを用いる。全体の  ５０個数％以上が１０μｍ未満の粒径を有し、且つ８０μｍを超える粒径が全体の１０個数％未満であるものを用いることがより好ましく、全体の９０個数％以上が１０μｍ未満の粒径を有し、且つ６０μｍを超える粒径が全体の１０個数％未満であるものを用いることが更により好ましい。さらには、０．２μｍ以下の粒径が１％以内であるものが好ましく、０．２μｍ以下の粒径を含まないものを用いることが更により好ましい。そのような粒度にすることにより、活性剤の成分が、分離膜の目詰まりの状態を改善する微生物、例えば、バチルス属細菌等の微生物に効果的に作用し、その活性化を促すことができる。また、活性剤が処理槽内に長く滞留することがなく、スケール生成によって分離膜の目詰まりが助長されることが防がれる。また、例えば典型的な膜孔径０．２μｍと比較して、それ以下の粒径が含まれないようにすることにより、膜孔への粒子透過と閉塞を防ぐことができる。所定粒度を有する活性剤は、例えば、ジェットミルのような気流式粉砕機やパワーミルのような衝撃式粉砕機による粉砕などにより調製することができる。粉砕後には、必要に応じて篩にかけて、所望の粒度のものを選別してもよい。粒度分布の測定は、レーザー回折・散乱法により、粒子にレーザー光を照射しときの散乱光の散乱パターンにより粒子径を見積もる方式などにより測定することができる。例えばレーザー回折・散乱式粒度分布測定装置（「マイクロトラックＭＴ３０００」、日機装株式会社）などによって測定することができる。
【００６４】
本発明において、上記所定粒度を有する活性剤による作用効果は、活性剤の個々の粒子（主として１０μｍ未満の粒径の粒子：全体の３０個数％以上が１０μｍ未満の粒径を有し、好ましくは全体の５０個数％以上が１０μｍ未満の粒径を有し、より好ましくは全体の９０個数％以上が１０μｍ未満の粒径を有する）が処理槽内でよく分散して活性汚泥中の微生物に接触するように用いるとともに、活性剤全体としても処理槽内でよく分散して処理後水側に排出されるように用いることにより発揮させることができる。よって、上記所定粒度を有する活性剤は、そのような使用の形態を妨げない限り、適宜、液体に分散したり、顆粒化したり、錠剤化したりしてもよく、粉体以外の形態として提供されてもよい。
【００６５】
上記所定粒度を有する活性剤は、他の活性化有効物質と併用してもよい。これによれば、鉱物に由来する資材などを用いた場合に、活性化のために必要な成分として不足しているものを補うことができる。例えば、ケイ素化合物としては二酸化ケイ素、ケイ酸ナトリウム、ケイ酸カルシウム、ケイ酸マグネシウム等が挙げられる。鉄化合物としては塩化第一鉄、塩化第二鉄、硫酸第一鉄、硫酸第二鉄、硝酸第一鉄、硝酸第二鉄等が挙げられる。マグネシウム化合物としては塩化マグネシウム、硫酸マグネシウム、水酸化マグネシウム、硝酸マグネシウム等が挙げられる。カルシウム化合物としては塩化カルシウム、水酸化カルシウム、酸化カルシウム、硝酸カルシウム等が挙げられる。マンガン化合物としては塩化マンガン、硫酸マンガン、硝酸マンガン等が挙げられる。
【００６６】
上記所定粒度を有する活性剤は、ケイ素化合物の可溶化剤を併用してもよい。これによれば、活性剤のケイ素成分が、分離膜の目詰まりの状態を改善する微生物、例えば、バチルス属細菌等の微生物に更により効果的に作用し、その活性化を促すことができる。また、上記所定粒度を有する活性剤に対しては、ケイ素化合物の可溶化剤による可溶化の効果も顕著である。
【００６７】
以下には、ケイ素化合物の可溶化剤について説明する。
【００６８】
（１）ケイ素化合物
鉱物などに含まれるケイ素化合物の形態は、ケイ酸やケイ酸塩が知られている。ケイ酸は化学式〔ＳｉＯｘ（ＯＨ）４−２Ｘ〕ｎで表されるケイ素、酸素、水素の化合物の総称であり、自然界に確認されているものは、オルトケイ酸（Ｈ４ＳｉＯ４）、メタケイ酸（Ｈ２ＳｉＯ３）、メタ二ケイ酸（Ｈ２Ｓｉ２Ｏ５）などがある。ケイ酸塩は、１個または数個のケイ素原子を中心とし、電気陰性な配位子がこれを取り込んだ構造を持つアニオンを含む化合物で、シリケートとも呼ばれている。自然界の鉱物はケイ酸塩鉱物として大量に存在する。バチルス属細菌等の微生物を優占化した排水処理プロセスにおいてケイ素の供給源としてはこのケイ酸塩鉱物を添加することが安価で簡便である。しかし、ケイ素の構造が重合した形で存在しているため不溶性である。
【００６９】
即ち、カンラン石や柘榴石などはネソケイ酸塩鉱物といわれ、〔ＳｉＯ４〕４−の四面体単体構造を持つ。ベスブ石や緑簾石などはソロケイ酸塩鉱物といわれ、〔Ｓｉ２Ｏ７〕６−の四面体２量体構造を持つ。緑柱石や電気石などはサイクロケイ酸塩鉱物といわれ、〔ＳｉｎＯ３ｎ〕２ｎ−の環状構造を持つ。輝石などはイソケイ酸塩鉱物といわれ、〔ＳｉｎＯ３ｎ〕２ｎ−の単鎖状構造を持つ。角閃石などはイソケイ酸塩鉱物といわれ２本鎖状構造で、〔Ｓｉ４ｎＯ１１ｎ〕６ｎ−の構造を持つ。雲母や粘土鉱物はフィロケイ酸塩鉱物といわれ、〔Ｓｉ２ｎＯ５ｎ〕２ｎ−の層状構造を持つ。石英や長石、沸石などはテクトケイ酸塩鉱物といわれ〔ＡｌｘＳｉｙＯ２（ｘ＋ｙ）〕ｘ−の３次元網目構造を持つ。
【００７０】
鉱物などに含まれるケイ素化合物は上記の構造をもつ重合体である。よって、この重合体を低分子化あるいは単量体化させることによって、水への溶解度が増し、バチルス属細菌等の微生物にケイ素化合物が効果的に作用するようになる。
【００７１】
ここでケイ素の重合は、例えば下記式（１）の反応が連続して起きることで進行する。そこでケイ素及び／又はケイ素化合物の重合を抑制するには、その反応の基点となる、ＳｉＯ−の負電荷を電気的に中和することが有効である。
ＳｉＯ−＋Ｓｉ（ＯＨ）４→Ｓｉ−Ｏ−Ｓｉ（ＯＨ）３＋ＯＨ−    ・・・（１）
【００７２】
（２）可溶化剤
可溶化剤としては、ケイ素化合物を可溶化できるものであればよく、特に制限はないが、例えばカチオン系ポリマーが挙げられる。カチオン系ポリマーの有する正電荷がＳｉＯ−の負電荷を電気的に中和して、例えば上記式（１）によるケイ素及び／又はケイ素化合物の重合を抑制することができ、これにより、ケイ素化合物を水あるいは水性溶媒中で可溶化状態に保つことができる。
【００７３】
カチオン系ポリマーとしては、１級アミン、２級アミン、３級アミン、４級アンモニウムなどの陽イオンを有するポリマーであることが好ましい。具体的には、アリルアミン塩酸塩重合体やアリルアミン塩酸塩・ジアリルアミン塩酸塩共重合体、メチルジアリルアミン塩酸塩重合体、ジアリルジメチルアンモニウムクロリド重合体などが挙げられる。
【００７４】
本発明においては、上記所定粒度を有する活性剤を、排水ならびに活性汚泥中の微生物に有効に作用させるためには、それを含有する形態中に、上記所定粒度を有する活性剤を固形分換算で５０〜１００質量％含有することが好ましく、７０〜１００質量％含有することがより好ましく、９０〜１００質量％含有することが更により好ましい。
【００７５】
以下、本発明による排水処理方法及び排水処理装置について、更に詳細に説明する。
【００７６】
（排水処理方法）  
従来、膜分離活性汚泥法による排水処理装置では、運転の経過とともに膜モジュールの分離膜に目詰まりが発生するので、定期的に定常運転時とは逆の処理水側からの水圧を付加して逆洗処理を行い、膜モジュールに付着した夾雑物を排除しながら運転を行ったり、固液分離後の処理水の水圧を計測し、その水圧が所定値を下回ったら、膜モジュールを取出して薬液で洗浄したり、最終的には膜モジュールを交換する必要があった。
【００７７】
本発明による排水処理方法では、分離膜の目詰まりを抑えてその長寿命化と排水処理装置の運転の効率化を図るため、このような膜モジュールのメンテナンスに加えて、あるいはその一部にかえて、分離膜の目詰まりの状態を改善する微生物を優占化しつつ、処理槽で活性汚泥処理される排水に、上記に説明した活性剤を添加する。
【００７８】
分離膜の目詰まりの状態を改善する微生物については、膜モジュールの分離膜の目詰まりの主な原因が、近年の研究から、バブリングや逆洗によっても剥がれないほど強固な付着性を示す、活性汚泥中の微生物が産出する糖タンパク質を含む沈着物（粘着性の微生物やその残骸などを含む）であることが明らかとなっている。そして、糖タンパク質が強固な付着性原因物質である。よって、この糖タンパク質を分解し、除去することによって、膜モジュールの分離膜に強固に付着した沈着物を排除して、分離膜の目詰まりの状態を改善することができる。糖タンパク質を分解し、除去できる微生物としては、例えば、少なくともタンパク質分解酵素又は炭水化物分解酵素を菌体外に分泌する、バチルス属に属する微生物、ビフィズス属に属する微生物などが挙げられる。
【００７９】
上記分離膜の目詰まりの状態を改善する微生物は、少なくともタンパク質分解酵素又は炭水化物分解酵素を菌体外に分泌する微生物を既存の微生物群の中からスクリーニングして得ることもできる。例えば、下記のような簡易酵素活性テストによって、蛋白質の分解性と炭水化物の分解性とに優れた微生物のスクリーニングを行うことができる。
【００８０】
（１）蛋白質の分解性
０．２〜１．０ｗ／ｗ％の濃度のカゼインを含む寒天培養基の平板上に菌を線状に接種して培養する。カゼインを含む寒天培養基は不透明〜半透明であるが、菌の生育後に菌の集落の周囲に透明な帯ができる場合は、タンパク質の分解性を示すものである（タンパク質の分解性を有する）。
【００８１】
（２）炭水化物の分解性
０．２〜１．０ｗ／ｗ％の濃度の可溶性デンプンを含む寒天培養基の平板上に菌を線状に接種して培養し、生育後にヨウ素液を平板上に注ぐ。菌の集落の周囲に、青色にならない透明な帯ができる場合は、澱粉の分解性を示すものである（デンプンの分解性を有する）。
【００８２】
具体的には、バチルス属細菌である、Ｂａｃｉｌｌｕｓ ｍｅｔｈｙｌｏｔｒｏｐｈｉｃｕｓ ＣＢＭＢ２０５Ｔ (ＥＵ１９４８９７)株、Ｂａｃｉｌｌｕｓ ｓｕｂｔｉｌｉｓ ｓｕｂｓｐ. ｓｕｂｔｉｌｉｓ ＤＳＭ １０Ｔ (ＡＪ２７６３５１)株、Ｂａｃｉｌｌｕｓ ｓｕｂｔｉｌｉｓ ｓｕｂｓｐ. ｓｕｂｔｉｌｉｓＮＢＲＣ３００９株、Ｂａｃｉｌｌｕｓ ｓｕｂｔｉｌｉｓ ｓｕｂｓｐ. ｓｕｂｔｉｌｉｓＡＴＣＣ６０５１株などを用いることができる。
【００８３】
また、ビフィズス属細菌である、Ｂｉｆｉｄｏｂａｃｔｅｒｉｕｍ ｂｉｆｉｄｕｍ、Ｂｉｆｉｄｏｂａｃｔｅｒｉｕｍ ｂｒｅｖｅ、Ｂｉｆｉｄｏｂａｃｔｅｒｉｕｍｉｎｆａｎｔｉｓなどを用いることができる。
【００８４】
上記に説明した微生物は、一般にバチルス属細菌やビフィズス属細菌に慣用されている方法により、その培養、保存、菌体分離等を行うことができる。例えば、栄養培地を挙げれば、Ｎｕｔｒｉｅｎｔ培地（０．３％肉エキス、０．５％ペプトン）あるいはＬＢ培地（０．５％酵母エキス、１％ペプトン、１％塩化ナトリウム）などの培地により、その培養を行うことができる。
【００８５】
本発明による排水処理方法においては、上記分離膜の目詰まりの状態を改善する微生物を、優占化させる。「優占化」とは、上記処理槽１内で生息している生物相においてその数が優占的であることを意味する。優占的であるかどうかは、処理槽１内で生息している生物相を１６ＳｒＤＮＡ配列の決定などでランダムに同定して、目的とする属種に属する微生物がその他の生物種に対してどのくらいの割合で存在するかを求め、更に、その属種に属する微生物のうち、目的とする性質を有する微生物がどのくらいの割合で含まれているかを、上述した簡易酵素活性テストなどによって求め、知ることができる。具体的には、上記分離膜の目詰まりの状態を改善する微生物を処理槽１内の活性汚泥１ｍＬ中に菌数およそ１×１０７個〜１×１０１０個存在するようにする。
【００８６】
上記分離膜の目詰まりの状態を改善する微生物を処理槽１内で優占化させるための手段としては、特に制限されるものではないが、例えば、上記に例示したバチルス属細菌やビフィズス属細菌を種菌として、投入する種汚泥に添加したり、処理槽１に流入する前の排水に添加したり、処理槽１に流入した後の排水に添加したりする等して、その後そのバチルス属細菌やビフィズス属細菌が維持される処理条件を保つ方法が挙げられる。即ち、排水処理運転の初期の段階に上記微生物を添加することにより、処理槽１内で生息している生物相においてその数が優占的であることを確実にでき、その後従来法の処理条件を保てば、処理期間中、上記分離膜の目詰まりの状態を改善する微生物が優占化している状態となる。また、上記分離膜の目詰まりの状態を改善する微生物を優占化させて排水処理を行った後に得られる余剰汚泥には、その微生物が優占化される生物相のバランスが保たれているので、他の排水処理施設からそのような余剰汚泥を得、これを新たに処理すべき排水処理施設の立ち上げ時などに種汚泥として添加してもよい。あるいは、上記分離膜の目詰まりの状態を改善する微生物の優占化が衰えたような場合には、このような種菌や種汚泥を随時添加してもよい。
【００８７】
排水の処理条件としては、従来法に準じて行なえばよく、典型的には、例えば処理槽１内の処理排水の活性汚泥の濃度（ＭＬＳＳ）を２０００ｍｇ／Ｌ〜２５００ｍｇ／Ｌの範囲に管理し、ｐＨを中性付近、すなわち６．５〜７の範囲に管理することが好ましい。また、嫌気性条件を好む傾向の微生物（脱窒菌、脱リン菌、脱窒性リン蓄積細菌等）の活性を利用するための処理と、好気性条件を好む傾向の微生物（硝化菌、酵母、大腸菌等）の活性を利用するための処理とを、処理槽１内で段階的、連続的又は間欠的に行なってもよい。この場合、排水中の窒素濃度、リン濃度などにもよるが、その嫌気条件での酸化還元電位を−１５０ｍＶ〜−２００ｍＶの範囲とし、その好気条件における溶存酸素量が２．０ｍｇ／Ｌ〜３．５ｍｇ／Ｌの範囲となるよう管理することが好ましい。例えば、図１に示す排水処理装置では、その散気板５からの空気の供給を調整することにより行うことができる。ただし、処理槽１内で所定時間の処理を終えた排水中に、臭気成分であるアンモニアを残存させないために、硝化菌が作用する好気条件による処理を最終工程で行ない、処理槽１内での処理を終えることが好ましい。
【００８８】
従来、処理槽内の排水のモニタリング・管理としては、溶存酸素量、酸化還元電位、水素イオン濃度、汚泥濃度、有機物負荷量などの水質が指標にされている。図１に示す排水処理装置では、そのような従来の指標でのモニタリング・管理に使用される計測器が計測器１２で表わされている。また、それらの指標等に基づいて運転を制御するための制御装置１４が設けられている。
【００８９】
溶存酸素量は、活性汚泥中の微生物が有機物を基質として資化するときの要求酸素量の過不足を判断する指標である。したがって、計測器１２による溶存酸素量の測定値の基づき、制御装置１４において処理槽水中の溶存酸素が不足と判断されれば、制御装置１４からの信号によりブロア６の稼動量を増やしたり、ばっ気調整バルブ（図示されない。以下同様。）を開放したり、あるいはその両者を行い、処理槽のばっ気量を増やす制御を行なうことができる。一方、溶存酸素が過剰と判断されれば、制御装置１４からの信号によりブロア６の稼動量を減らしたり、ばっ気調整バルブを絞ったり、あるいはその両者を行い、処理槽のばっ気量を減らす制御を行なうことができる。なお、後者の制御の場合、ばっ気を全く止めてもよいことは勿論である。
【００９０】
酸化還元電位や水素イオン濃度（ｐＨ）は処理槽内の排水の窒素除去に関わる指標である。すなわち、排水中の窒素分は硝化細菌などによりアンモニアイオンから亜硝酸イオン、硝酸イオンに酸化され、脱窒菌などにより硝酸性イオンから窒素に変換される。その結果、排水中の窒素分は窒素ガスの形態で処理槽から気相中に放出されることにより除去される。アンモニアイオンが亜硝酸イオンおよび硝酸イオンに酸化されるとき液性は酸性となる。また、硝酸イオンを窒素ガスに還元する脱窒菌は嫌気性で機能が発現することが知られている。よって、酸化還元電位や水素イオン濃度で、処理槽内の排水の嫌気度をモニタリングすることは、排水中の窒素除去が適正に行われているかを判断する指標となる。したがって、計測器１２による酸化還元電位や水素イオン濃度の測定値に基づき、制御装置１４において処理槽水中の嫌気度が不足と判断されれば、制御装置１４からの信号によりブロア６の稼動量を減らしたり、ばっ気調整バルブを絞ったり、あるいはその両者を行い、処理槽のばっ気量を下げる制御を行なうことができる。なお、この場合、ばっ気を全く止めてもよいことは勿論である。一方、嫌気条件を解消したい場合には、制御装置１４からの信号によりブロア６の稼動量を増やしたり、ばっ気調整バルブを開放したり、あるいはその両者を行い、処理槽のばっ気量を上げる制御を行なうことができる。
【００９１】
汚泥濃度は排水の生物処理に関わる微生物量といえる。活性汚泥中に微生物が多ければ多いほど、排水中の有機物の資化は速くなるので、汚泥濃度を増加させることによって処理効率も高くなる。しかし、汚泥濃度が高いとその分微生物量が多くなるのでばっ気量を上げる必要があったり、自己酸化により汚泥を溶解したりする必要がある。また、処理に必要な汚泥を処理槽の全汚泥量でまかなうには、有機物の安定的な導入が必要であり、よって排水の生物処理の効率を安定的に維持するためには、汚泥濃度と有機物負荷量とのバランスが重要となる。したがって、計測器１２による汚泥濃度及び／又は有機物負荷量の測定値に基づき、活性制御装置１４において汚泥濃度が過剰と判断されれば、制御装置１４からの信号により汚泥引抜ポンプ４の稼働量を増やして汚泥濃度を減らしたり、処理槽１内への有機物負荷を減らしたり、あるいはその両者を行なったりする制御を行なうことができる。一方、汚泥濃度に対して有機物負荷量が過剰と判断されれば、制御装置１４からの信号により汚泥引抜ポンプ４の稼働量を減らしたり、止めたり、処理槽１内に流入させるに有機物負荷を増したり、あるいはその両者を行なったりする制御を行なうことができる。
【００９２】
本発明においては、このような排水処理プロセスにおいて、上記に説明した活性剤を、活性剤供給槽７から活性剤注入ポンプ８及び活性剤注入調整バルブ９を介して、処理槽１内の排水に添加する。添加のタイミングとしては、常時継続的あるいは一定期間をあけて間欠的に所定量を添加してもよく、任意の量を随時に添加してもよい。また、バチルス属細菌等の微生物の優占化が衰えたような場合、例えば処理槽１内の排水に存在する目的とする微生物の菌数が所定の閾値を下回った場合に、あらかじめ定めた量の活性剤を添加するようにしてもよい。あるいは、処理槽１内で処理すべき排水中の有機物濃度が所定の閾値を超えた場合に、あらかじめ定めた量の活性剤を添加するようにしてもよい。
【００９３】
また、図１に示す排水処理装置では、上記の制御に加えて又は替えて、処理槽１内の排水中に含まれるバチルス属細菌等の微生物に由来する酵素活性を測定し、その測定した酵素活性に基づいて、処理槽１内の排水の生物処理の制御を行うことができるようになっている。そのため処理槽１内の排水中に含まれるバチルス属細菌等の微生物に由来する酵素活性を測定するための酵素活性測定器１３が設置され、その測定値が制御装置１４に送られるようになっている。
【００９４】
図２には、本発明による排水処理においてバチルス属細菌等の微生物に由来する酵素活性を測定する手段の一例として、処理槽１内の排水中に含まれるタンパク質分解酵素（プロテアーゼ）の活性を測定する手順を示す。まず処理槽水を採取し、固液分離手段により試料水を採取する。固液分離手段としては、例えば孔径０．２μｍのフィルターでのろ過や遠心分離などが挙げられる。次に、プロテアーゼ検出試薬を試料水に添加して、所定時間プロテアーゼ反応を行う。プロテアーゼ検出試薬としては、例えば蛍光タンパク質分解酵素アッセイキット（サーモフィッシャーサイエンティフィック社）などを用いることができる。このキットはタンパク質分解酵素による酵素活性により蛍光強度が上昇する試薬を含むものである。このキットを用いる場合、試薬を添加して室温で５〜６０分間静置した後、蛍光強度を測定し、予め作成しておいた検量線などから試料水中のプロテアーゼ活性を算出することができる。プロテアーゼ活性の活性単位としては、基準となるタンパク質を所定の条件で分解したときに生成する所定分解物の時間当たりの生成量で標準化した、マイクロモル／分（ユニット）などの単位を用いることができる。
【００９５】
図３には、本発明による排水処理においてバチルス属細菌等の微生物に由来する酵素活性を測定する手段の他の一例として、処理槽１内の排水中に含まれる炭水化物分解酵素（アミラーゼ）の活性を測定する手順の一例を示す。まず処理槽水を採取し、固液分離手段により試料水を採取する。固液分離手段としては、例えば孔径０．２μｍのフィルターでのろ過や遠心分離などが挙げられる。次に、水溶性デンプンを試料水に添加して、所定時間、典型的には室温で６０分間程度デンプン分解反応を行う。その後ヨウ素溶液を滴下し、ヨウ素デンプン反応を行った後、試料の吸光度を測定する。デンプンが残存していれば、ヨウ素デンプン反応特有の紫色を呈し、デンプンが分解されていれば変色しない。ヨウ素デンプン反応による呈色は、例えば５５０ｎｍの吸光度で測定することができる。この測定値からアミラーゼ活性を算出することができる。アミラーゼ活性の活性単位としては、基準となる水溶性デンプンを所定の条件で分解したときに生成する所定分解物の時間当たりの生成量で標準化した、マイクロモル／分（ユニット）などの単位を用いることができる。
【００９６】
なお、上記の酵素以外の酵素による酵素活性を指標にしてもよく、例えば脂肪分解酵素、セルロース分解酵素などによる酵素活性を指標にすることもできる。
【００９７】
処理槽内の排水中に含まれるバチルス属細菌等の微生物に由来する酵素活性は、排水の生物処理に利用されるバチルス属細菌等の微生物の活性を反映する直接の指標といえる。したがって、酵素活性測定器１３による酵素活性の測定値に基づき、制御装置１４において処理槽水中のバチルス属細菌等の微生物の活性が不足と判断されれば、制御装置１４からの信号により活性剤注入ポンプ８の稼動量を増やしたり、活性剤注入調整バルブ９を開放したり、あるいはその両者を行い、処理槽１内の排水中への活性剤の供給量を増やす制御を行なうことができる。一方、バチルス属細菌等の微生物の活性が充分と判断されれば、制御装置１４からの信号により活性剤注入ポンプ８の稼動量を減らしたり、活性剤注入調整バルブ９を絞ったり、あるいはその両者を行い、処理槽１内の排水中への活性剤の供給量を減らす制御を行なうことができる。なお、後者の制御の場合、活性剤の供給を全く止めてもよいことは勿論である。
【００９８】
例えば、図１に示す排水処理装置では、活性剤供給槽７に、ケイ素化合物と、更に鉄化合物及びマグネシウム化合物とを少なくとも含む活性剤を貯留しておき、所望時に活性剤注入ポンプ８によって処理槽１内に添加することができる。これにより、活性剤に含まれる主にケイ素成分などにより上記微生物の増殖が活性化され、活性剤に含まれる主に鉄成分やマグネシウム成分などにより上記微生物が菌体外に分泌するタンパク質分解酵素や炭水化物分解酵素の分泌の増加が起こる。この場合、活性剤に含まれる鉄化合物及びマグネシウム化合物の合計量とケイ素化合物との含有比は、質量換算で０．５〜５：１であることが好ましく、２：１であることがより好ましい。また、ケイ素化合物は、処理槽１内の排水中に処理槽のＢＯＤ負荷量に対して０．１〜２質量％の濃度で存在するように添加することが好ましく、処理槽のＢＯＤ負荷量に対して０．２〜１質量％の濃度で存在するように添加することがより好ましい。鉄化合物あるいはマグネシウム化合物の場合には、処理槽１内の排水中に処理槽のＢＯＤ負荷量に対して両化合物の合計換算にして０．１〜２質量％の濃度で存在するように添加することが好ましく、処理槽のＢＯＤ負荷量に対して両化合物の合計換算にして０．４〜２質量％の濃度で存在するように添加することがより好ましい。
【００９９】
一方、本発明の他の態様においては、分離膜の目詰まりの状態に応じて、上記分離膜の目詰まりの状態を改善する微生物の活性化処理を行うことが好ましい。その活性化処理は、例えば、処理槽１で活性汚泥処理される排水に、上記に説明した活性剤を添加することなどにより行うことができる。より具体的には、上記酵素活性に基づく制御と同様にして、活性剤供給槽７から活性剤注入ポンプ８及び活性剤注入調整バルブ９を介して、処理槽１内の排水に活性剤を添加する処理などにより行なうことができる。これにより、活性剤に含まれる主にケイ素成分などにより上記微生物の増殖が活性化され、活性剤に含まれる主に鉄成分やマグネシウム成分などにより上記微生物が菌体外に分泌するタンパク質分解酵素や炭水化物分解酵素の分泌の増加が起こる。
【０１００】
分離膜の目詰まりの状態を把握するには、例えば、分離膜で固液分離された処理水の水圧及び／又は水流量が、任意に定めた所定値を下回るかどうかを計測することなどにより行うことができる。即ち、排水処理の運転の経過にともなって分離膜が目詰まりし、その膜間圧差は上昇する一方、分離膜で固液分離された処理水の水圧及び／又は水流量が低下するので、その水圧及び／又は水流量があらかじめ定めた閾値を超え、下回った場合に、目詰まりを解消すべき時期であると判定できる。この場合、定常運転時とは逆の処理後水側からの水圧及び／又は水流を付加して分離膜の逆洗処理を行なったり、分離膜をバブリング処理したりした後に計測することが好ましい。これによれば、膜モジュール２に比較的弱く付着した夾雑物を排除したうえで計測するので、分離膜の目詰まりの状態をより正確に把握することができる。例えば、図１に示す排水処理装置では、膜モジュール２に連通した配管の途中に設けられたセンサ１０により、分離膜で固液分離された処理水の水圧及び／又は水流量がモニタされるようになっている。また、吸引ポンプ３による吸引方向を逆転させることにより、処理水側からの水圧及び／又は水流を付加できるようになっている。なお、分離膜の目詰まりの状態を把握するための指標となる上記水流量の計測は、例えば、分離膜で固液分離された処理水の単位時間当たりの水量が、任意に定めた所定値を下回るかどうかを計測することなどにより行うことができる。また、分離膜の目詰まりの状態を把握するための指標となる上記水圧の計測は、上記水流量の計測値から所定の関係式から算出することによって行ってもよい。
【０１０１】
本発明により提供される排水処理方法においては、分離膜の目詰まりの状態に基づく制御と、処理槽内の排水中に含まれる微生物に由来する酵素活性に基づく制御とを、互いに独立に行なうこともでき、それらを併用してもよい。
【０１０２】
（排水処理装置）
本発明により提供される排水処理装置を、図１及び図４を参照して更に説明すると、活性剤供給槽７には上記に説明した活性剤が貯留され、そこから活性剤注入ポンプ８により処理槽１内に供給されるようになっている。これが本発明の「分離膜の目詰まりの状態を改善する微生物の活性剤を供給する手段」を構成している。また、膜モジュール２に連通した配管の途中にはセンサ１０が設けられており、分離膜で固液分離された処理水の水圧及び／又は水流量がモニタされるようになっている。これが本発明の「分離膜の目詰まりの状態を計測する手段」を構成している。また、処理槽１内の排水中に含まれるバチルス属細菌等の微生物に由来する酵素活性を測定するための酵素活性測定器１３が設置されている。これが本発明の「微生物に由来する酵素活性を測定する手段」を構成している。
【０１０３】
更に、センサ１０での処理水の水圧及び／又は水流量の値に応じた信号を受信し、且つ活性剤注入ポンプ８または活性剤注入調整バルブ９に駆動信号を送信することができる制御装置１４を備えており、これが本発明の「処理槽で活性汚泥処理される排水中への活性剤の供給量を制御する制御手段」を構成している。
【０１０４】
この制御装置１４は、酵素活性測定器１３での酵素活性の測定値に応じた信号を受信し、且つ活性剤注入ポンプ８または活性剤注入調整バルブ９に駆動信号を送信することができるようにも構成されている。なお、本発明により提供される排水処理装置においては、上記センサ１０による本発明の「分離膜の目詰まりの状態を計測する手段」と、上記酵素活性測定器１３による本発明の「微生物に由来する酵素活性を測定する手段」とを、互いに独立に備えることもでき、それらを併設してもよい。
【０１０５】
そして、センサ１０での処理水の水圧及び／又は水流量の値が、制御装置１４の演算部１５に入力されて、その演算部１５に格納した任意に定めた所定値と対比されて、その値を下回る場合には、目詰まりの状態を改善する微生物を活性化する時期であると判定する（図４Ａ）。そしてその判定に応じた信号が、出力部１６を介して、活性剤注入ポンプ８を駆動させあるいはその駆動量を増加させたり、活性剤注入調整バルブ９を開栓しあるいはその開栓量を増加させたりする（図４Ａ）。これにより、分離膜の目詰まりの状態に基づいて、上記活性剤を処理槽１内に供給し、あるいはその供給量を増大させることができる。なお、活性剤の供給は、センサ１０での処理水の水圧及び／又は水流量の値が、制御装置１４の演算部１５に格納した任意に定めた所定値と対比されて、その値以上となるまで継続してもよく、所定時間で終了してもよい。
【０１０６】
また、酵素活性測定器１３での酵素活性の測定値が、制御装置１４の演算部１５に入力されて、その演算部１５に格納した任意に定めた所定値と対比されて、その値を下回る場合には、目詰まりの状態を改善する微生物を活性化する時期であると判定する（図４Ｂ）。そしてその判定に応じた信号が、出力部１６を介して、活性剤注入ポンプ８を駆動させあるいはその駆動量を増加させたり、活性剤注入調整バルブ９を開栓しあるいはその開栓量を増加させたりする（図４Ｂ）。これにより、目詰まりの状態を改善する微生物の活性の状態に基づいて、上記活性剤を処理槽１内に供給し、あるいはその供給量を増大させることができる。なお、活性剤の供給は、酵素活性測定器１３での酵素活性の測定値が、制御装置１４の演算部１５に格納した任意に定めた所定値と対比されて、その値以上となるまで継続してもよく、所定時間で終了してもよい。
【０１０７】
本発明により提供される排水処理装置においては、分離膜の目詰まりの状態に基づく制御と、処理槽内の排水中に含まれる微生物に由来する酵素活性に基づく制御とを、互いに独立に備えることもでき、それらを併設してもよい。
【実施例】
【０１０８】
以下に実施例を挙げて本発明を更に具体的に説明するが、本発明の範囲はこれら実施例によって何ら限定されるものではない。
【０１０９】
＜試験例１＞  （バチルス菌による汚泥分解性能）
一般に膜分離活性汚泥法等では、汚泥に含まれる微生物の死骸やその死滅のときに放出される糖や蛋白などが分離膜の目詰まりの要因の１つであることが知られている。そこで、バチルス菌により汚泥自体の量を低減できるかどうかを検討した。
【０１１０】
（１）汚泥
汚泥として、分流式のＡ下水処理場の余剰汚泥を準備した。
【０１１１】
（２）酵素液
バチルス属細菌のＢａｃｉｌｌｕｓ  ｍｅｔｈｙｌｏｔｒｏｐｈｉｃｕｓ（以下、「バチルス菌Ａ」という。）をＮｕｔｒｉｅｎｔ培地に接種し、３０℃で一晩培養した。このとき、バチルス菌の活性を向上させる市販の活性剤（ケイ酸塩を含むミネラル）を培地に２ｍｇ／ｍＬになるように添加して培養し、この培養液を孔径０．２μｍのフィルターでろ過し、そのろ液を酵素液とした。
【０１１２】
（３）汚泥削減試験
試験は、上記の汚泥１０ｇ分を１Ｌ容器に入れ、ブランクとして純水を１０ｍL添加した群、上記の汚泥１０ｇ分を１L容器に入れ、上記の酵素液１０ｍLを添加した群、上記の汚泥１０ｇ分を１L容器に入れこれにバチルス菌Ａを菌数にしておよそ１０１０個／ｍLの濃度で含む培養液を１０ｍL添加し、上記の市販の活性剤を２０ｍｇ添加した群、により行った。
【０１１３】
それぞれの試験群について、２５℃で４８時間の処理を行ない、処理の前後で汚泥の重量を測定し、汚泥削減率を求めた。汚泥削減率は、初期の汚泥濃度に対し各試験系の汚泥濃度の比から下記式により算出した。
〔汚泥削減率〕＝１００−〔各試験系の汚泥濃度〕/〔初期の汚泥濃度〕×１００
【０１１４】
結果を図５に示す。
【０１１５】
その結果、汚泥のみでは減少率が１２％程度にとどまり、その減少は、汚泥に含まれる微生物の死滅による減少に過ぎないと考えられた。一方、バチルス菌を活性剤とともに培養した培養液の上清を添加すると、汚泥の減少率が２４％程度となり、更に汚泥に活性剤とともにバチルス菌を直接添加すると、汚泥の減少率が５１％程度となった。これは、バチルス菌が分泌する酵素により汚泥成分（糖や蛋白など）が分解し、汚泥の一部が可溶化した結果であると考えられた。
【０１１６】
＜試験例２＞  （バチルス菌による溶存微生物生産物の分解性能）
膜分離活性汚泥法等において分離膜の目詰まりの主な要因の１つであると考えられているＳＭＰ（溶存微生物生産物：処理水中に放出された糖や蛋白など）に対する、バチルス菌の分解性能を調べた。具体的には、バチルス優占化汚泥により安定運転に達した処理槽内の処理水と、標準活性汚泥により安定運転に達した処理槽内の処理水とを、全炭素検出器付ゲルパーミューションクロマトグラフィー装置（GPC-TC）に供し、処理水中の溶存有機物をパーミューションクロマトグラフィー（GPC）により分子量の違いに応じて展開しつつ、TOC（全有機炭素）検出器によりその量を測定した。結果を表１に示す。
【０１１７】
【表１】
2017202435.tif 000002
【０１１８】
その結果、バチルス菌優占化汚泥により安定運転に達した処理槽内の処理水では、標準活性汚泥による処理水に比べ、分子量10,000以上の有機物の濃度（ＳＭＰに相当）が、顕著に低減していた。これは、バチルス菌が分泌する酵素によりＳＭＰ成分（糖や蛋白など）が分解されるためであると考えられた。
【０１１９】
＜調製例１＞  （高炉スラグの粉砕品Ａ）
活性汚泥処理に用いる活性剤として、高炉スラグをジェットミル（アイシンナノテクノロジーズ社製）で粉砕し、高炉スラグの粉体を調製した。以下これを高炉スラグの粉砕品Ａとする。
【０１２０】
＜調製例２＞  （高炉スラグの粉砕品Ｂ）
粉砕の条件を調製例１よりも弱く調整して、高炉スラグの粉体を調製した。以下これを高炉スラグの粉砕品Ｂとする。
【０１２１】
＜試験例３＞  （粒度分布の測定）
高炉スラグの粉砕品Ａの粒度分布をレーザー回折・散乱式粒度分布測定装置（「マイクロトラックＭＴ３０００」、日機装株式会社）を用いて測定した。その結果を図６に示す。図６に示されるように、粉砕品Ａは、その個数基準粒径分布において、全体の３０個数％以上が１０μｍ未満の粒径を有し、且つ１００μｍを超える粒径が全体の１０個数％未満であった。
【０１２２】
高炉スラグの粉砕品Ｂについても同様に、粒度分布を測定した。その結果を図７に示す。図７に示されるように、粉砕品Ｂは、その個数基準粒径分布において、１０μｍ未満の粒径が全体の３０個数未満であった。
【０１２３】
活性汚泥処理に用いる活性剤として市販されている市販品についても同様に、粒度分布を測定した。その結果を図８に示す。図８に示されるように、市販品は、その個数基準粒径分布において、１０μｍ未満の粒径が全体の３０個数％未満であり、１００μｍを超える粒径が全体の１０個数％超であった。
【０１２４】
＜試験例４＞  （バチルス菌の増殖に与える活性剤の効果）
高炉スラグの粉砕品Ａ、高炉スラグの粉砕品Ｂ、及び活性汚泥処理に用いる活性剤として市販されている市販品（主要組成（質量％）：ケイ素１９.３、鉄３．６、カルシウム３．９、マグネシウム４．２、アルミニウム３．４、マンガン０．１）のそれぞれについて、バチルス菌の増殖を活性化する効果を調べた。バチルス菌としては、試験例１で用いたＢａｃｉｌｌｕｓ ｍｅｔｈｙｌｏｔｒｏｐｈｉｃｕｓに属するバチルス属細菌（バチルス菌Ａ）、及びＢａｃｉｌｌｕｓ ｓｕｂｔｉｌｉｓに属するバチルス属細菌（以下「バチルス菌Ｂ」という。）を用いた。
【０１２５】
各バチルス菌をそれぞれＮｕｔｒｉｅｎｔ培地に接種し、３０℃で振とう培養を行った。このときにバチルス菌の活性を向上させる活性剤として粉砕品Ａ、粉砕品Ｂ、又は市販品をそれぞれ１６ｍｇ／Ｌになるように培地に添加して培養し、培養開始後、培養液の濁度（ＯＤ６００）を経時的に測定した。また、その増殖曲線からバチルス菌の倍加時間を算出した。
【０１２６】
表２には、バチルス菌Ａによる結果を示す。
【０１２７】
【表２】
2017202435.tif 000003
【０１２８】
表３には、バチルス菌Ｂによる結果を示す。
【０１２９】
【表３】
2017202435.tif 000004
【０１３０】
その結果、各バチルス菌において、いずれもその増殖を活性化する効果は、粉砕品Ａ，市販品、粉砕品Ｂの順で高かった。粉砕品Ａと市販品とを倍加時間又は増殖速度で比較すると、バチルス菌Ａでは１．３倍、バチルス菌Ｂでは１．６倍、市販品よりも粉砕品Ａのほうが、バチルス菌の増殖を活性化する効果が高くなった。
【０１３１】
＜試験例５＞  （バチルス菌のタンパク質分解酵素産生に与える活性剤の効果）
高炉スラグの粉砕品Ａ、高炉スラグの粉砕品Ｂ、及び活性汚泥処理に用いる活性剤として市販されている市販品のそれぞれについて、バチルス菌によるタンパク質分解酵素産生を活性化する効果を調べた。バチルス菌としては、試験例４と同様に、バチルス菌Ａ及びバチルス菌Ｂを用いた。
【０１３２】
各バチルス菌をそれぞれＮｕｔｒｉｅｎｔ培地に接種し、３０℃で振とう培養を行った。このときにバチルス菌の活性を向上させる活性剤として粉砕品Ａ、粉砕品Ｂ、又は市販品をそれぞれ１６ｍｇ／Ｌになるように培地に添加して培養し、培養開始から２４時間経過後に培養を止め、遠心分離によりバチルス菌を取り除いた培養液について、タンパク質分解活性を測定した。なお、培養開始から２４時間経過後には、増殖が飽和しているものと認められた。
【０１３３】
タンパク質分解活性の測定は、蛍光タンパク質分解酵素アッセイキット（サーモフィッシャーサイエンティフィック社）を用いて行なった。このキットに含まれる試薬はタンパク質分解酵素の存在により蛍光強度が上昇するものである。各試料をこのキットに供してその蛍光強度を測定するとともに、別途、タンパク質分解酵素の１つであるトリプシンを所定濃度で段階希釈して、同様に蛍光強度を測定して検量線を得た。この検量線に、各試料について測定された蛍光強度をあてはめることにより、試料中のタンパク質分解酵素の活性を培養液１ｍＬあたりのトリプシン相当量として求めた。
【０１３４】
図９には、バチルス菌Ａによる結果を示す。また、図１０には、バチルス菌Ｂによる結果を示す。
【０１３５】
図９に示されるように、バチルス菌Ａの培養液中のタンパク質分解酵素のトリプシン相当量は、粉砕品Ａで１１３０ｎｇ／ｍＬ、粉砕品Ｂで３２０ｎｇ／ｍＬ、市販品で３３０ｎｇ／ｍＬであり、粉砕品Ａを培地に添加した場合、同じ濃度で粉砕品Ｂや市販品を培地に添加した場合に比べて、約３倍量のタンパク質分解酵素が生産された。
【０１３６】
同様に、図１０に示されるように、バチルス菌Ｂの培養液中のタンパク質分解酵素のトリプシン相当量は、粉砕品Ａで１１９０ｎｇ／ｍＬ、粉砕品Ｂで３３ｎｇ／ｍＬ、市販品で５４ｎｇ／ｍＬであり、粉砕品Ａを培地に添加した場合、同じ濃度で市販品を培地に添加した場合に比べて、約２２倍量のタンパク質分解酵素が生産された。また、同じ濃度で粉砕品Ｂを培地に添加した場合に比べて、約３６倍量のタンパク質分解酵素が生産された。
【０１３７】
＜試験例６＞  （バチルス菌の炭水化物分解酵素産生に与える活性剤の効果）
試験例５と同様に培養した各バチルス菌のそれぞれの培養液について、培養液中に分泌された炭水化物分解酵素の活性を調べた。
【０１３８】
具体的には、培養開始から２４時間経過した培養液を回収し、遠心分離によりバチルス菌を取り除いた培養液を採取した。この培養液１．９５ｍＬに０．５％水溶性デンプンを０．０５ｍL加え、６０分後、ヨウ素溶液を滴下した。デンプンが残存していれば、ヨウ素デンプン反応特有の青紫色を呈し、デンプンが分解されていれば変色しない。その呈色を５５０ｎｍの吸光度（Ａ５５０）により測定した。
【０１３９】
炭水化物分解酵素の活性は次の計算式に示すように、添加したデンプンを６０分で何％分解できるかで表し、規格化した。
〔炭水化物分解酵素活性（％）〕＝｛（〔デンプンのみのＡ５５０〕−〔培養液を添加した系のＡ５５０〕）／（〔デンプンのみのＡ５５０〕−〔デンプンなしのＡ５５０〕）｝×１００
【０１４０】
図１１には、バチルス菌Ａによる結果を示す。また、図１２には、バチルス菌Ｂによる結果を示す。
【０１４１】
図１１に示されるように、バチルス菌Ａの培養液中の炭水化物分解酵素活性は、粉砕品Ａで１０２％、粉砕品Ｂで４４％、市販品で７０％であり、粉砕品Ａを培地に添加した場合、同じ濃度で市販品を培地に添加した場合に比べて、約１．５倍量の炭水化物分解酵素が生産された。また、同じ濃度で粉砕品Ｂを培地に添加した場合に比べて、約２．３倍量の炭水化物分解酵素が生産された。
【０１４２】
同様に、図１２に示されるように、バチルス菌Ｂの培養液中の炭水化物分解酵素活性は、粉砕品Ａで９６％、粉砕品Ｂで６１％、市販品で５７％であり、粉砕品Ａを培地に添加した場合、同じ濃度で市販品を培地に添加した場合に比べて、約１．７倍量の炭水化物分解酵素が生産された。また、同じ濃度で粉砕品Ｂを培地に添加した場合に比べて、約１．６倍量の炭水化物分解酵素が生産された。
【０１４３】
以上の試験例３〜６の検証により、活性汚泥処理に用いる活性剤として高炉スラグなどの難溶解性資材を用いる場合には、それを所定粒度に粉砕して用いることにより、バチルス菌の増殖性や酵素活性に関わる活性化効果が、より顕著に発揮されることが明らかとなった。また、その効果は、従来の活性剤よりも優れていた。
【０１４４】
＜試験例７＞  （バチルス菌の増殖に与える鉱物成分の効果）
一般に排水処理プロセスに鉱物などミネラルを添加すると、その活性汚泥の微生物叢バランスにおいてバチルス菌が優占化することが知られている。これは、鉱物に含まれるケイ素化合物がバチルス菌の生育を促進したり、悪環境下での耐性を向上させたりするためであると考えられている（環境バイオテクノロジー学会誌（２０１１）ｖｏｌ．１１、Ｎｏ．１・２、ｐ４７−５３参照、第６５回日本生物工学会大会要旨集ｐ２２１）。
【０１４５】
そこで鉱物に一般的に含まれている、ケイ素以外の金属成分として、鉄、アルミニウム、カルシウム、マグネシウム、マンガンを選定し、それぞれについて、バチルス菌の増殖に与える影響を調べた。バチルス菌としては、試験例４〜６と同様に、バチルス菌Ａ及びバチルス菌Ｂを用いた。
【０１４６】
各バチルス菌をそれぞれ最小培地（グルコース５ｇ／Ｌ、Ｋ２ＨＰＯ４１４ｍｇ／Ｌ、ＫＨ２ＰＯ４６ｇ／Ｌ、ＮＨ４Ｃｌ１ｇ／Ｌ）に接種し、３０℃で振とう培養を行った。このときに金属成分として、ケイ素（終濃度２７．８ｍｇ／Ｌ）、鉄（終濃度９ｍｇ／Ｌ）、アルミニウム（終濃度８．８ｍｇ／Ｌ）、カルシウム（終濃度１７．２ｍｇ／Ｌ）、マグネシウム（終濃度１８ｍｇ／Ｌ）、マンガン（終濃度２０ｍｇ／Ｌ）を、各カッコ内の終濃度となるように培地に添加した。また、特定の金属成分を添加しない系を設けた。
【０１４７】
図１３には、バチルス菌Ａの培養開始から１２時間経過後の培養液の濁度（ＯＤ６００）の相対値（６種の金属成分を添加した系に対する相対値）を示す。
【０１４８】
図１３に示されるように、６種の金属成分を添加した系に比べ、鉄、マグネシウム、マンガンを除いた系では培養液の濁度（ＯＤ６００）が低下した。よって、バチルス菌Ａの増殖の促進には、これらの金属成分が必要であることが明らかとなった。
【０１４９】
図１４には、バチルス菌Ｂの培養開始から１２時間経過後の培養液の濁度（ＯＤ６００）の相対値（６種の金属成分を添加した系に対する相対値）を示す。
【０１５０】
図１４に示されるように、６種の金属成分を添加した系に比べ、鉄、カルシウム、マグネシウム、マンガンを除いた系では培養液の濁度（ＯＤ６００）が低下した。よって、バチルス菌Ｂの増殖の促進には、これらの金属成分が必要であることが明らかとなった。
【０１５１】
なお、上記結果には示されないが、マンガンは、過剰量に添加すると、逆にバチルス菌の増殖を阻害する作用効果を示した。
【０１５２】
＜試験例８＞  （バチルス菌のタンパク質分解酵素産生に与える鉱物成分の効果）
鉱物に一般的に含まれているケイ素以外の金属成分として、鉄、アルミニウム、カルシウム、マグネシウムを選定し、それぞれについて、バチルス菌のタンパク質分解酵素産生に与える影響を調べた。バチルス菌としては、試験例７と同様に、バチルス菌Ａ及びバチルス菌Ｂを用いた。
【０１５３】
各バチルス菌をそれぞれＮｕｔｒｉｅｎｔ培地に接種し、３０℃で振とう培養を行った。このときに金属成分として、ケイ素（終濃度２７．８ｍｇ／Ｌ）、鉄（終濃度９ｍｇ／Ｌ）、アルミニウム（終濃度８．８ｍｇ／Ｌ）、カルシウム（終濃度１７．２ｍｇ／Ｌ）、マグネシウム（終濃度１８ｍｇ／Ｌ）を、各カッコ内の終濃度となるように培地に添加した。また、特定の金属成分を添加しない系を設けた。
【０１５４】
培養開始から２４時間経過後に培養を止め、遠心分離によりバチルス菌を取り除いた培養液について、試験例７と同様にしてタンパク質分解活性を測定した。なお、培養開始から２４時間経過後には、増殖が飽和しているものと認められた。
【０１５５】
図１５には、バチルス菌Ａの培養液中のタンパク質分解酵素活性の菌数当たりの相対値（５種の金属成分を添加した系に対する菌数当たりの相対値）を示す。
【０１５６】
図１５に示されるように、５種の金属成分を添加した系に比べ、カルシウムを除いた系ではタンパク質分解酵素活性が低下した。よって、バチルス菌Ａからのタンパク質分解酵素の分泌の促進には、カルシウムが必要であることが明らかとなった。
【０１５７】
図１６には、バチルス菌Ｂの培養液中のタンパク質分解酵素活性の菌数当たりの相対値（５種の金属成分を添加した系に対する菌数当たりの相対値）を示す。
【０１５８】
図１６に示されるように、５種の金属成分を添加した系に比べ、鉄、カルシウム、マグネシウムを除いた系ではタンパク質分解酵素活性が低下した。よって、バチルス菌Ｂからのタンパク質分解酵素の分泌の促進には、これらの金属成分が必要であることが明らかとなった。
【０１５９】
＜試験例９＞  （バチルス菌の炭水化物分解酵素産生に与える鉱物成分の効果）
試験例８と同様に培養した各バチルス菌のそれぞれの培養液について、試験例６と同様にして培養液中に分泌された炭水化物分解酵素の活性を調べた。
【０１６０】
図１７には、バチルス菌Ａの培養液中の炭水化物分解酵素活性の菌数当たりの相対値（５種の金属成分を添加した系に対する菌数当たりの相対値）を示す。
【０１６１】
図１７に示されるように、５種の金属成分を添加した系に比べ、カルシウムを除いた系では炭水化物分解酵素が低下した。よって、バチルス菌Ａからの炭水化物分解酵素の分泌の促進には、カルシウムが必要であることが明らかとなった。
【０１６２】
図１８には、バチルス菌Ｂの培養液中の炭水化物分解酵素活性の菌数当たりの相対値（５種の金属成分を添加した系に対する菌数当たりの相対値）を示す。
【０１６３】
図１８に示されるように、５種の金属成分を添加した系に比べ、鉄、カルシウム、マグネシウムを除いた系では炭水化物分解酵素活性が低下した。よって、バチルス菌Ｂからの炭水化物分解酵素の分泌の促進には、これらの金属成分が必要であることが明らかとなった。
【０１６４】
以上の試験例７〜９の検証により、バチルス菌を優占化する排水の活性汚泥処理に使用する活性剤は、従来知られていたケイ素に加え、少なくとも鉄、マグネシウム、及びカルシウムを含有していることが好ましいことが明らかとなった。また、バチルス菌の種類に応じて、上記４種の金属成分を適宜組み合わせて使用することが好ましいことが明らかとなった。
【０１６５】
表４には、従来、他の用途に汎用されていた各種鉱物由来資材の組成を例示する。
【０１６６】
【表４】
2017202435.tif 000005
【０１６７】
表４に示すように、試験例３〜６で検証した高炉スラグのほか、例えば珪藻土、パーライト、セメントなども、ケイ素、鉄、マグネシウム、及びカルシウムを含有する鉱物由来資材である。
【０１６８】
よって、バチルス菌の増殖性や酵素活性を活性化する成分を含むが、これら鉱物由来資材は一般に難溶解性資材であり、試験例３〜６で検証された高炉スラグと同様に、所定粒度に粉砕して活性剤として用いることにより、バチルス菌の増殖性や酵素活性に関わる活性化効果が、より顕著に発揮されるものと考えられた。
【０１６９】
また、試験例７〜９で検証された金属成分を適宜組み合わせて使用することにより、バチルス菌の増殖性や酵素活性に関わる活性化効果が、より顕著に発揮されるものと考えられた。
【０１７０】
＜試験例１０＞
図１に概略構成図を示して説明した排水処理装置（処理槽１の有効容積：１０Ｌ）を用いて、排水処理試験を行った。
【０１７１】
供試水としては、表５に示す水質のものを用いた。
【０１７２】
【表５】
2017202435.tif 000006
【０１７３】
運転条件としては、表６に示すとおりとした。その際、条件Ｎｏ．１〜Ｎｏ．４において、処理槽１内に種汚泥として添加する活性汚泥の種類（バチルス菌優占化汚泥ないしは標準活性汚泥）と膜モジュール２の種類（平膜ないしは中空糸膜）とを、それぞれ変えて試験を行った。また、バチルス菌優占化汚泥を用いる場合には、活性剤として調製例１で調製した高炉スラグの粉砕品Ａを、活性剤供給槽７から活性剤注入ポンプ８と活性剤注入調整バルブ９とを介して、１日ごと１．４ｍｇ／Ｌとなる量で処理槽１内の処理水に添加した。条件Ｎｏ．１〜Ｎｏ．４のそれぞれにおける曝気量は、ブロア６の出力を調整して、試験開始第１日目〜７日目には１７．５Ｌ／分とし、第８日目〜１４日目には１２．５Ｌ／分とし、第１５日目〜２３日目には７．５Ｌ／分とし、運転期間にわたってバブリング条件を変えて試験を行った。
【０１７４】
【表６】
2017202435.tif 000007
【０１７５】
［評価１］
運転開始１６日目までの処理水の水質をTOC（全有機炭素）検出器により測定した。その結果を図１９に示す。
【０１７６】
図１９に示されるように、いずれの運転条件でも、TOC（全有機炭素）の除去率は、流入供試水のTOC（全有機炭素）の濃度に対しておよそ９８％以上となり、良好であった。
【０１７７】
［評価２］
膜モジュールの種類として平膜（東レ社製）を使用した条件Ｎｏ．１（バチルス菌優占化）と条件Ｎｏ．４（標準活性汚泥）のそれぞれの運転条件における、膜の目詰まりの状況を調べるため、センサ１０により膜間圧差（ｋＰａ）を測定し、その経時上昇率（ｋＰａ／日）を求めた。その結果を図２０に示す。
【０１７８】
図２０に示されるように、曝気量を１７．５Ｌ／分とした運転期間においても、曝気量を１２．５Ｌ／分とした運転期間においても、曝気量を７．５Ｌ／分とした運転期間においても、いずれのバブリング条件においても、活性剤を添加してバチルス菌を優占化させた条件Ｎｏ．１では、標準活性汚泥を用いた条件Ｎｏ．４に比べて、膜間圧差の経時上昇率が顕著に抑制された。特に、例えば、活性剤を添加してバチルス菌を優占化させた条件Ｎｏ．１では、曝気量を７．５Ｌ／分とした場合でも、その膜間圧差の経時上昇率は、曝気量を１７．５Ｌ／分として標準活性汚泥を用いた条件Ｎｏ．４と同程度であった。よって、通常、分離膜の目詰まりの防止のためには、この試験における曝気量１７．５Ｌ／分に相当する条件で膜にバブリングを施すことが行われるが、活性剤を添加してバチルス菌を優占化させることによって、曝気量は７．５Ｌ／分で済み、その分のエネルギーコストを削減できることが明らかとなった。
【０１７９】
［評価３］
膜モジュールの種類として中空糸膜（三菱レイヨン社製）を使用した条件Ｎｏ．２（バチルス菌優占化）と条件Ｎｏ．３（標準活性汚泥）のそれぞれの運転条件における、膜の目詰まりの状況を調べるため（曝気量は１７．５Ｌ／分）、センサ１０により膜間圧差（ｋＰａ）を測定し、その経時上昇率（ｋＰａ／日）を求めた。その結果を図２１に示す。
【０１８０】
図２１に示されるように、活性剤を添加してバチルス菌を優占化させた条件Ｎｏ．２では、標準活性汚泥を用いた条件Ｎｏ．３に比べて、膜間圧差の経時上昇率が顕著に抑制された。よって、膜モジュールの種類として中空糸膜を用いた場合も、平膜を用いた場合と同様に、活性剤を添加してバチルス菌を優占化させることで、膜劣化が抑制されることが明らかとなった。
【０１８１】
［評価４］
膜モジュールの種類として中空糸膜（三菱レイヨン社製）を使用した条件Ｎｏ．２（バチルス菌優占化）とＮｏ．３（標準活性汚泥）のそれぞれの運転条件において、曝気量を１２．５Ｌ／分とした場合には、バブリング不足により条件Ｎｏ．２において運転開始１２日目（曝気量を１２．５Ｌ／分としてから５日目）に、条件Ｎｏ．３において運転開始９．３日目（曝気量を１２．５Ｌ／分としてから２．３日目）に、いずれも膜が閉塞を起してしまった（閉塞後は、膜を交換した）。また、曝気量を７．５Ｌ／分とした場合にも、同様に、条件Ｎｏ．２において運転開始１６日目（曝気量を７．５Ｌ／分としてから２日目）に、条件Ｎｏ．３において運転開始１９日目（曝気量を７．５Ｌ／分としてから５日目）に、いずれも膜が閉塞を起してしまった。そこで、曝気量を１２．５Ｌ／分とした閉塞後の膜について、水道水洗浄とその後の薬品洗浄（２５００ｐｐｍ次亜塩素酸ナトリウム液による洗浄）を行い、それぞれの洗浄処理後に、ろ過抵抗を測定した。ろ過抵抗は、センサ１０により測定した膜間圧差とフラックス（水流量）の関係をプロットし、処理水の粘度から下記式により算出した。
〔フラックス〕＝〔膜間圧差〕/〔処理水粘度〕×〔ろ過抵抗〕
【０１８２】
その結果を図２２に示す。
【０１８３】
図２２に示されるように、活性剤を添加してバチルス菌を優占化させた条件Ｎｏ．２では、標準活性汚泥を用いた条件Ｎｏ．３に比べて、水道水洗浄によるろ過抵抗の回復度合いが向上した。これは、バチルス菌が分泌する酵素により汚泥成分、特に上記ＳＭＰ成分（糖や蛋白など）が分解され、膜付着物の膜への付着力が低減したためであると考えられた。
【符号の説明】
【０１８４】
１：処理槽
２：膜モジュール
３：吸引ポンプ
４：汚泥引抜ポンプ
５、散気板
６：ブロア
７：活性剤供給槽
８：活性剤注入ポンプ
９：活性剤注入調整バルブ
１０：センサ
１２：計測器
１３：酵素活性測定器
１４：制御装置
１５：演算部
１６：出力部
【図１】
2017202435.tif 000008
【図２】
2017202435.tif 000009
【図３】
2017202435.tif 000010
【図４】
2017202435.tif 000011
【図５】
2017202435.tif 000012
【図６】
2017202435.tif 000013
【図７】
2017202435.tif 000014
【図８】
2017202435.tif 000015
【図９】
2017202435.tif 000016
【図１０】
2017202435.tif 000017
【図１１】
2017202435.tif 000018
【図１２】
2017202435.tif 000019
【図１３】
2017202435.tif 000020
【図１４】
2017202435.tif 000021
【図１５】
2017202435.tif 000022
【図１６】
2017202435.tif 000023
【図１７】
2017202435.tif 000024
【図１８】
2017202435.tif 000025
【図１９】
2017202435.tif 000026
【図２０】
2017202435.tif 000027
【図２１】
2017202435.tif 000028
【図２２】
2017202435.tif 000029
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
有機物を含む排水を処理槽に導入して活性汚泥処理を行うとともに、その処理槽内に設置した分離膜で活性汚泥処理後の排水を固液分離して処理水を取り出す排水処理方法であって、前記分離膜の目詰まりの状態を改善する微生物としてバチルス属細菌を優占化しつつ、前記処理槽で活性汚泥処理される前記排水に、前記バチルス属細菌を活性化する成分を含有する活性剤であって、高炉スラグ、珪藻土、パーライト、及びセメントからなる群から選ばれる少なくとも１種の粉砕物を含み、全体の３０個数％以上が１０μｍ未満の粒径を有し、且つ１００μｍを超える粒径が全体の１０個数％未満である該活性剤を添加することを特徴とする排水処理方法。
【請求項２】
前記活性剤は、難溶解性のケイ素化合物を含む請求項１又は２記載の排水処理方法。
【請求項３】
前記活性剤は、更に鉄化合物、マグネシウム化合物、カルシウム化合物、及びマンガン化合物からなる群から選ばれる少なくとも１種を含む請求項２記載の排水処理方法。
【請求項４】
前記活性剤は、該活性剤に更にケイ素化合物の可溶化剤を組み合わせて用いる請求項２又は３記載の排水処理方法。
【請求項５】
前記処理槽内の前記排水中に含まれる前記微生物に由来する酵素活性を測定し、その測定値に基づいて、前記活性剤の添加量を制御する請求項１〜４のいずれか１つに記載の排水処理方法。
【請求項６】
前記酵素活性は、タンパク質分解酵素及び／又は炭水化物分解酵素の活性であり、その活性値が所定値を下回ったとき、前記活性剤を添加する請求項５記載の排水処理方法。
【請求項７】
前記分離膜の目詰まりの状態を計測して、その計測した分離膜の目詰まりの状態に基づいて、前記活性剤の添加量を制御する請求項１〜６のいずれか１つに記載の排水処理方法。
【請求項８】
前記分離膜の目詰まりの状態を示す指標を、前記分離膜で固液分離された処理水の水圧及び／又は水流量とし、前記水圧及び／又は水流量の値が所定値を下回ったとき、前記活性剤を添加する請求項７記載の排水処理方法。
【請求項９】
前記分離膜の目詰まりの状態を前記分離膜の逆洗処理又はバブリングを行なった後に計測する請求項７又は８記載の排水処理方法。
【請求項１０】
有機物を含む排水を処理槽に導入して活性汚泥処理を行うとともに、その処理槽内に設置した分離膜で活性汚泥処理後の排水を固液分離して処理水を取り出す排水処理装置であって、
前記分離膜の目詰まりの状態を改善する微生物としてバチルス属細菌を活性化する成分を含有する活性剤であって、高炉スラグ、珪藻土、パーライト、及びセメントからなる群から選ばれる少なくとも１種の粉砕物を含み、全体の３０個数％以上が１０μｍ未満の粒径を有し、且つ１００μｍを超える粒径が全体の１０個数％未満である該活性剤を供給する手段と、
前記処理槽内の前記排水中に含まれる前記微生物に由来する酵素活性を測定する手段と、
その測定値に基づいて、前記処理槽で活性汚泥処理される排水中への前記活性剤の供給量を制御する制御手段を備えていることを特徴とする排水処理装置。
【請求項１１】
前記処理槽内の前記排水中に含まれる前記微生物に由来する酵素活性を測定する手段は、タンパク質分解酵素及び／又は炭水化物分解酵素の活性を測定する手段を含む請求項１０記載の排水処理装置。
【請求項１２】
有機物を含む排水を処理槽に導入して活性汚泥処理を行うとともに、その処理槽内に設置した分離膜で活性汚泥処理後の排水を固液分離して処理水を取り出す排水処理装置であって、
前記分離膜の目詰まりの状態を改善する微生物としてバチルス属細菌を活性化する成分を含有する活性剤であって、高炉スラグ、珪藻土、パーライト、及びセメントからなる群から選ばれる少なくとも１種の粉砕物を含み、全体の３０個数％以上が１０μｍ未満の粒径を有し、且つ１００μｍを超える粒径が全体の１０個数％未満である該活性剤を供給する手段と、
前記分離膜の目詰まりの状態を計測する手段と、
その計測した分離膜の目詰まりの状態に基づいて、前記処理槽で活性汚泥処理される排水中への前記活性剤の供給量を制御する制御手段を備えていることを特徴とする排水処理装置。
【請求項１３】
前記分離膜の目詰まりの状態を計測する手段は、前記分離膜で固液分離された処理水の水圧及び／又は水流量を計測する手段を含む請求項１２記載の排水処理装置。
【請求項１４】
前記活性剤は、難溶解性のケイ素化合物を含む請求項１０〜１３のいずれか１つに記載の排水処理装置。
【請求項１５】
前記活性剤は、更に鉄化合物、マグネシウム化合物、カルシウム化合物、及びマンガン化合物からなる群から選ばれる少なくとも１種を含む請求項１４記載の排水処理装置。
【請求項１６】
前記活性剤は、該活性剤に更にケイ素化合物の可溶化剤を組み合わせて用いる請求項１４又は１５記載の排水処理装置。
【請求項１７】
有機物を含む排水を処理槽に導入して活性汚泥処理を行うとともに、その処理槽内に設置した分離膜で活性汚泥処理後の排水を固液分離して処理水を取り出す排水処理方法において、前記分離膜の目詰まりの状態を改善する微生物としてバチルス属細菌を優占化するために用いる活性剤であって、前記微生物を活性化する成分を含有し、高炉スラグ、珪藻土、パーライト、及びセメントからなる群から選ばれる少なくとも１種の粉砕物を含み、全体の３０個数％以上が１０μｍ未満の粒径を有し、且つ１００μｍを超える粒径が全体の１０個数％未満であることを特徴とする排水処理用の活性剤。
【請求項１８】
前記微生物を活性化する成分として、難溶解性のケイ素化合物を含む請求項１７記載の活性剤。
【請求項１９】
前記微生物を活性化する成分として、更に鉄化合物、マグネシウム化合物、カルシウム化合物、及びマンガン化合物からなる群から選ばれる少なくとも１種を含む請求項１８記載の活性剤。
【請求項２０】
ケイ素化合物の可溶化剤と組み合わせて用いる請求項１８又は１９記載の活性剤。
【請求項２１】
前記可溶化剤は、ケイ素及び／又はケイ素化合物の重合を抑制するカチオン系ポリマーを含む請求項２０記載の活性剤。
【手続補正書】
【提出日】平成29年5月12日(2017.5.12)
【手続補正１】
【補正対象書類名】明細書
【補正対象項目名】００８５
【補正方法】変更
【補正の内容】
【００８５】
本発明による排水処理方法においては、上記分離膜の目詰まりの状態を改善する微生物を、優占化させる。「優占化」とは、上記処理槽１内で生息している生物相においてその数が優占的であることを意味する。優占的であるかどうかは、処理槽１内で生息している生物相を１６ＳｒＤＮＡ配列の決定などでランダムに同定して、目的とする属種に属する微生物がその他の生物種に対してどのくらいの割合で存在するかを求め、更に、その属種に属する微生物のうち、目的とする性質を有する微生物がどのくらいの割合で含まれているかを、上述した簡易酵素活性テストなどによって求め、知ることができる。